(57)【特許請求の範囲】
【請求項１】
セルＩＤに基づいて式（１）から生成される第１のランダムシード、及び、ＵＥに固有に通知される第２のＩＤに基づいて生成される第２のランダムシードのうち、選択された一つのランダムシードを用いて初期化された系列を用いて生成された参照信号と、前記ランダムシードの選択であって、0又は1の値をとるSCIDを用いて通知される前記選択とを、送信装置から受信する受信部と、
前記参照信号に基づいて、データを復調する復調部と、
を有する、受信装置。
【数１】
0006041278.tif 000022
cinitは前記第１のランダムシード、nsはスロット番号、cell_idはセルＩＤである。
【請求項２】
複数の前記第２のＩＤが２つのセットに含まれ、
前記受信部は、前記２つのセットのうち、前記送信装置から通知された一つのセットを示す情報を受信する、
請求項１に記載の受信装置。
【請求項３】
前記第２のＩＤは、ＵＥに固有なＩＤである、
請求項１又は２に記載の受信装置。
【請求項４】
前記第２のＩＤは、複数のＵＥが共有できるグループＩＤである、
請求項１又は２に記載の受信装置。
【請求項５】
前記参照信号は、前記系列を用いてスクランブルされている、
請求項１から４のいずれかに記載の受信装置。
【請求項６】
前記参照信号は、復調用参照信号（DMRS）である、
請求項１から５のいずれかに記載の受信装置。
【請求項７】
セルＩＤに基づいて式（１）から生成される第１のランダムシード、及び、ＵＥに固有に通知される第２のＩＤに基づいて生成される第２のランダムシードのうち、選択された一つのランダムシードを用いて初期化された系列を用いて生成された参照信号と、前記ランダムシードの選択であって、0又は1の値をとるSCIDを用いて通知される前記選択とを、送信装置から受信する受信工程と、
前記参照信号に基づいて、データを復調する復調工程と、
を有する、受信方法。
【数２】
0006041278.tif 000023
cinitは前記第１のランダムシード、nsはスロット番号、cell_idはセルＩＤである。
【請求項８】
セルＩＤに基づいて式（１）から生成される第１のランダムシード、及び、ＵＥに固有に通知される第２のＩＤに基づいて生成される第２のランダムシードのうち、選択された一つのランダムシードを用いて初期化された系列を用いて生成された参照信号と、前記ランダムシードの選択であって、0又は1の値をとるSCIDを用いて通知される前記選択とを、送信装置から受信する受信処理と、
前記参照信号に基づいて、データを復調する復調処理と、
を制御する、集積回路。
【数３】
0006041278.tif 000024
cinitは前記第１のランダムシード、nsはスロット番号、cell_idはセルＩＤである。
【発明の詳細な説明】
【技術分野】
【０００１】
本開示は、通信システムにおける信号多重化法および参照信号の設計の技術分野に関する。
【背景技術】
【０００２】
ＤＭＲＳ（復調用参照信号）またはＵＥ（ユーザ機器）に固有な参照信号は、ＬＴＥ−Ａ（Long-Term Evolution-Advanced）（リリース１０、リリース１１など）において使用されているＲＳ（参照信号）の１つである。ＤＭＲＳは、ＬＴＥ−Ａシステムにおけるデータ部分と同一のプリコーディングが適用されるので、復調のためのチャネル推定を提供することができる。
【０００３】
図１は、多重化されたＤＭＲＳの例を示した概略図である。図１は、ＲＢ（リソースブロック）の構造およびＤＭＲＳを示している。図１には１つのＲＢを示してある。ＲＢの横軸（Ｔ）は時間（ＯＦＤＭシンボル）を表し、縦軸（Ｆ）は周波数帯域（サブキャリア）の幅を表す。ＲＢにおいて、横軸は１４個のセクションに分割されており、各セクションが縦軸方向にＯＦＤＭシンボルを形成する。縦軸は１２個のセクションに分割されており、各セクションが横軸方向にサブキャリアを形成する。ＲＢの中の小さいブロックそれぞれがＲＥ（リソース要素）を表しており、ＲＢの１２×１４個のＲＥ全体がサブフレームを形成しており、サブフレームは横軸方向に沿ってスロット１およびスロット２を含む。図１では、ＲＢの左側から最初の３個のシンボルが制御領域として使用されることを示している。ＲＢの残りの部分は、データ部分を送信するために使用される。この場合、所定の数のＤＭＲＳがＲＢに含まれており、ＲＢの複数の異なる所定の位置に割り当てられている。
【０００４】
図１に示したように、ＤＭＲＳには、それぞれＯＣＣ（直交カバーコード）およびスクランブリングシーケンスが乗じられる。図１は、ランク１およびランク２の両方の場合のＤＭＲＳの例を示している。ランク１の場合、ＤＭＲＳは、その１レイヤのみにおいてＯＣＣ［１，１］またはＯＣＣ［１，−１］を使用することができる。ランク２の場合、ＤＭＲＳは、ＯＣＣ［１，１］およびＯＣＣ［１，−１］の両方を使用し、これらのＯＣＣはＤＭＲＳのレイヤの何れか１つでそれぞれ使用される。ランク２の場合、ＤＭＲＳの２レイヤは同じ周波数／時間のＲＥを占有しているが、２つのＯＣＣは互いに直交しているため、２つのＯＣＣの間の直交性によって、ＤＭＲＳの２レイヤが互いに直交することが依然として保証される。なお、ＤＭＲＳの異なるレイヤを、異なるＤＭＲＳポートと称することができる。例えば、図１において、ＯＣＣ［１，１］を使用するＤＭＲＳをポート７と称し、ＯＣＣ［１，−１］を使用するＤＭＲＳをポート８と称することができる。ポート７のみまたはポート８のみが使用されるときは、ランク１の場合である。ポート７およびポート８の両方が使用されるときは、ランク２の場合である。
【０００５】
ＯＣＣに加えて、ランダムシードによって初期化されるスクランブリングシーケンス［ａ１，ａ２，ａ３…，ｂ１，ｂ２，ｂ３…］が存在する。図１では、１つのＲＥにおいて、ポート７およびポート８は同じスクランブリングシーケンスを使用する。「同じスクランブリングシーケンス」という表現は、本明細書では、スクランブリングシーケンスが同じランダムシードによって初期化されていることを意味する。周知のように、リリース１０におけるランダムシードは、次の等式（１）によって計算される。
【数１】
0006041278.tif 000002
【０００６】
この式において、ｎｓはスロット番号（図１における２つのスロットが１つのサブフレームを構成する）を表し、ｃｅｌｌ＿ｉｄは送信ポイントＩＤ（セルＩＤ）を表し、ＳＣＩＤは２進値である。等式（１）に示したように、リリース１０においては、ＤＭＲＳランダムシードは、スロット番号と、送信ポイントＩＤと、２進値ＳＣＩＤとによって決定される。１つの送信ポイントにおいて、ポート７およびポート８を、ＳＣＩＤの異なる値を使用して設定することが可能である。このような場合、ポート７およびポート８は、例えば、異なるスクランブリングシーケンス［ａ１，ａ２，ａ３．．．］および［ｂ１，ｂ２，ｂ３．．．］を使用する。この方式の主たる目的はＭＵ（マルチユーザ）動作であり、これについては後述する。
【先行技術文献】
【非特許文献】
【０００７】
【非特許文献１】ＴＳ  ３６．２１２
【非特許文献２】３ＧＰＰ  ＴＳ  ３６．２１３
【発明の概要】
【発明が解決しようとする課題】
【０００８】
ＤＭＲＳは、受信器側において復調するための基本的な要素であるため、ＤＭＲＳランダムシードをどのように設定するかは、さまざまなシナリオにおいて極めて重要であり、以下ではこれについて詳しく説明する。
【０００９】
［ＣｏＭＰのシナリオ］
ＪＴ（ジョイント送信：Joint Transmission）は、ＣｏＭＰ（協調マルチポイント:
Coordinate Multiple Points）の１つの技術である。図２は、例示的なＪＴのシナリオを示した概略図である。図２に示したように、２つの送信ポイント（またはセル）１，２が存在し、これらの両方の送信ポイントが、複数のＲＢ（例えば図１に示したＲＢ）からなるビームを１基のＵＥ（例えば携帯電話など）に送信する。図２における２個のＲＢは、図１におけるＲＢを簡略化して表してある。
【００１０】
図２は、ＪＴ動作の原理を示している。ＪＴ動作では、複数の異なる送信ポイントが同じデータおよびＤＭＲＳをＵＥに送信し、複数の異なる送信ポイントからの同じデータおよびＤＭＲＳが、無線（ＯＴＡ）を通じて合成される。したがって、ＵＥは、複数の送信ポイントからのダイバーシチ利得の恩恵を受けることができる。したがって、ＪＴ動作の場合、複数の送信ポイントからの信号を正しく合成するためには、複数の送信ポイントからのＤＭＲＳが同じである必要がある。そうでない場合、複数の送信ポイントからのＤＭＲＳを、無線（ＯＴＡ）を通じて正しく合成することができない。この意味で、ＪＴ動作の場合、スクランブリングシーケンスを初期化するための同一ランダムシードが必要となる。
【００１１】
しかしながら、隣接する送信ポイント（セル）は、異なる送信ポイントＩＤを有する可能性がある。例えば、リリース１０においては、隣接する送信ポイント（セル）が異なる送信ポイント（セル）ＩＤを有することがある。上記の等式（１）に示したように、ランダムシードの計算にはパラメータ「ｃｅｌｌ＿ｉｄ」が含まれているため、異なる送信ポイントの送信ポイントＩＤが異なる場合、それぞれのＤＭＲＳまたはＤＭＲＳスクランブリングシーケンスも異なる。したがって、ＪＴ動作の場合、重要な点は、異なる送信ポイントＩＤを有する異なる送信ポイントにおいてＤＭＲＳランダムシードが同一となるように保証する方法である。
【００１２】
［非ＣｏＭＰのシナリオ］
図３は、例示的な非ＣｏＭＰのシナリオを示した概略図である。図２の場合とは異なり、図３においては、２つの隣接する送信ポイント１，２から送信される信号がそれぞれ異なるＵＥ（すなわちＵＥ１およびＵＥ２）を対象としている。すなわち、ＵＥ１は送信ポイント１からの信号を受信し、ＵＥ２は送信ポイント２からの信号を受信する。非ＣｏＭＰ動作では、ＲＢにおけるＤＭＲＳの位置が固定されているため、隣接する送信ポイントからのＤＭＲＳが周波数・時間リソースにおいて重複することにより互いに干渉することがある。例えば、図３に示したように、送信ポイント１からＵＥ１に送信される信号と、送信ポイント２からＵＥ２に送信される信号とが、周波数・時間リソースにおいて互いに重複している。したがってそれぞれのＤＭＲＳは、（図３に破線の矢印によって示したように）互いに干渉する。したがってこの場合、ＩＣＩ（セル間干渉：Inter-Cell Interference）をランダム化するため、隣接する送信ポイントにおいてＤＭＲＳスクランブリングシーケンスが異なっている必要がある。
【００１３】
しかしながら、隣接する送信ポイント（セル）が同じ送信ポイントＩＤを有する可能性がある。例えば、リリース１１においては、隣接する送信ポイントが同じ送信ポイントＩＤを有することがある。上記の等式（１）に示したように、ＤＭＲＳランダムシードの計算にはパラメータ「ｃｅｌｌ＿ｉｄ」が含まれているため、隣接する送信ポイントが同じｃｅｌｌ＿ｉｄを有する場合、ＤＭＲＳスクランブリングシーケンスが同じランダムシードによって初期化され、隣接する送信ポイントのＤＭＲＳにセル間干渉が発生する。したがって、非ＣｏＭＰ動作の場合、重要な点は、同じ送信ポイントＩＤを有する隣接する送信ポイントにおいてＤＭＲＳランダムシードが異なるように保証する方法である。
【００１４】
図４は、ＪＴのシナリオと非ＣｏＭＰのシナリオとの比較を示した概略図である。図４の左側にはＪＴのシナリオを示してあり、隣接する送信ポイントが異なる送信ポイントＩＤを有する。この場合、送信ポイント１および送信ポイント２のＤＭＲＳを初期化するためのＤＭＲＳランダムシードは、それぞれ、
【数２】
0006041278.tif 000003
および
【数３】
0006041278.tif 000004
である。これらはいずれも上記式（１）から、デフォルト値ＳＣＩＤ＝０を使用して得られる。ここで、パラメータｃｅｌｌ＿ｉｄ１は送信ポイント１の送信ポイントＩＤを表し、パラメータｃｅｌｌ＿ｉｄ２は送信ポイント２の送信ポイントＩＤを表し、ｃｅｌｌ＿ｉｄ１とｃｅｌｌ＿ｉｄ２は異なる。２つの送信ポイント１，２からのＤＭＲＳを無線（ＯＴＡ）を通じて正しく合成するためには、特に、２つの送信ポイントの送信ポイントＩＤが同じではない場合、それぞれのＤＭＲＳランダムシードが同じであることが要求される。結論として、ＪＴのシナリオの場合、無線（ＯＴＡ）を通じてＤＭＲＳを合成するためにはＪＴ送信ポイントのＤＭＲＳが同じであることが要求されるため、同じＤＭＲＳシードが必要である。
【００１５】
図４の右側には非ＣｏＭＰのシナリオを示してあり、隣接する送信ポイントが同じ送信ポイントＩＤ（すなわちｃｅｌｌ＿ｉｄ１）を有する。この場合、ＵＥ１を対象とする送信ポイント１のＤＭＲＳとＵＥ２を対象とする送信ポイント２のＤＭＲＳを初期化するためのＤＭＲＳランダムシードは、いずれも、
【数４】
0006041278.tif 000005
である。これは上記の等式（１）からデフォルト値ＳＣＩＤ＝０を使用して得られる。２つの送信ポイント１，２からのＤＭＲＳの間のセル間干渉（図４に破線の矢印によって示してある）をランダム化するためには、特に、送信ポイントの送信ポイントＩＤが同じである場合、それぞれのＤＭＲＳスクランブリングシーケンスが異なることが要求される。結論として、非ＣｏＭＰの場合、重複するＤＭＲＳによるセル間干渉をランダム化するため、異なるＤＭＲＳシードが必要である。
【００１６】
結論として、上述したＪＴおよび非ＣｏＭＰのシナリオの場合、これら２つのシナリオではＤＭＲＳランダムシードに関する要件が矛盾する。ＪＴ動作では、同じＤＭＲＳランダムシードが要求されるのに対して、非ＣｏＭＰ動作では異なるＤＭＲＳランダムシードが要求される。
【００１７】
［ＭＵ−ＭＩＭＯのシナリオ］
上記２つのシナリオに加えて、ＭＵ−ＭＩＭＯ（Multi-user Multiple Input Multiple output）のシナリオを考慮する必要がある。図５は、例示的なＭＵ−ＭＩＭＯのシナリオを示した概略図である。図５にはＭＵ−ＭＩＭＯ動作の原理が図解されている。ＭＵ−ＭＩＭＯ動作の場合、２基以上のＵＥが、共有される周波数／時間無線リソースに割り当てられる。図５に示したように、１基の送信ポイントと２基のＵＥ（すなわちＵＥ１およびＵＥ２）が存在しており、両方のＵＥが同じ周波数／時間リソースを共有している。ＤＭＲＳの位置が重複しているため、一方のＵＥ（例えばＵＥ１）が、干渉しているＵＥ（例えばＵＥ２）のチャネルをＤＭＲＳから推定できるならば、このＵＥ（例えばＵＥ１）は、自身の側でＭＵ干渉（図５に破線の矢印によって示してある）を打ち消すことができる。
【００１８】
このようなＵＥ側での干渉の打ち消しは、ＵＥが、干渉するＵＥのＤＭＲＳをブラインド検出できるか否かに依存する。図６は、例示的なブラインド検出を示した概略図である。図６にはブラインド検出の原理が図解されている。１つの送信ポイント（セル）の中でのＤＭＲＳの自由度は、２つの側面から与えられる。１つは、ＳＣＩＤ＝０または１に設定することによるＤＭＲＳランダムシードであり、もう１つは、［１，１］または［１，−１］としてＯＣＣを設定することによるＯＣＣである（またはＤＭＲＳポート７または８を選択することもこれと等価である）。具体的には、図６に示したように、送信ポイントの送信ポイントＩＤがｃｅｌｌ＿ｉｄ１であるものと想定すると、上記の等式（１）（ＳＣＩＤは０または１）から、
【数５】
0006041278.tif 000006
および
【数６】
0006041278.tif 000007
を得ることができる。２つの異なるＤＭＲＳランダムシードと２つのＯＣＣとを組み合わせることによって、４つの異なるＤＭＲＳ、すなわち、Ｓｅｅｄ０、ＯＣＣ［１，１］と、Ｓｅｅｄ０、ＯＣＣ［１，−１］と、Ｓｅｅｄ１、ＯＣＣ［１，１］と、Ｓｅｅｄ１、ＯＣＣ［１，−１］とが得られる。これら４つの異なるＤＭＲＳそれぞれが１基のＵＥに使用される。例えば、図６に示したように、Ｓｅｅｄ０およびＯＣＣ［１，１］によるＤＭＲＳがＵＥ０に使用され、Ｓｅｅｄ０およびＯＣＣ［１，−１］によるＤＭＲＳがＵＥ１に使用され、Ｓｅｅｄ１およびＯＣＣ［１，１］によるＤＭＲＳがＵＥ２に使用され、Ｓｅｅｄ１およびＯＣＣ［１，−１］によるＤＭＲＳがＵＥ３に使用される。合計でＤＭＲＳの４つのディメンション（dimension）が存在するため、１基のＵＥが、他の３基のＵＥのＤＭＲＳのうちの１つまたは複数が共有リソースに存在しているか否かをブラインド検出することができる。このブラインド検出が可能であるのは、検出空間がＤＭＲＳの４つのディメンションに制限されているためである。容易に理解できる点として、ＤＭＲＳランダムシードの設計は、このようなブラインド検出に大きく影響する。リリース１０のＤＭＲＳランダムシードの設計では、このようなブラインド検出が可能であり、このことは、ＤＭＲＳランダムシードをさらに改良するうえで設計上の１つの側面とみなすべきである。
【課題を解決するための手段】
【００１９】
本開示の一態様においては、同じ時間・周波数リソースを有する少なくとも１レイヤのリソースブロックの所定の無線リソースに割り当てられる信号をスクランブルする方法であって、
【数７】
0006041278.tif 000008
に基づいてランダムシードを生成する工程と、ランダムシードによってスクランブリングシーケンスを初期化する工程と、初期化されたスクランブリングシーケンスによって信号をスクランブルする工程と、を含み、等式において、
【数８】
0006041278.tif 000009
であり、Ｍａｘが送信ポイントＩＤの最大値を表し、Ｃｉｎｉｔがランダムシードを表し、ｎｓがスロット番号を表し、ｎ＿ＲＮＴＩがユーザ機器に固有なＩＤを表す、方法、を提供する。
【００２０】
本開示の別の態様においては、同じ時間・周波数リソースを有する少なくとも１レイヤのリソースブロックの所定の無線リソースに割り当てられる信号をユーザ機器に送信する送信ポイント装置であって、
【数９】
0006041278.tif 000010
に基づいてランダムシードを生成するランダムシード生成部と、ランダムシードによってスクランブリングシーケンスを初期化する初期化部と、初期化されたスクランブリングシーケンスによって信号をスクランブルするスクランブル部と、スクランブルされた信号を有するリソースブロックをユーザ機器に送信する送受信部と、を備え、等式において、
【数１０】
0006041278.tif 000011
であり、Ｍａｘが送信ポイントＩＤの最大値を表し、Ｃｉｎｉｔがランダムシードを表し、ｎｓがスロット番号を表し、ｎ＿ＲＮＴＩがユーザ機器に固有なＩＤを表す、送信ポイント装置、を提供する。
【００２１】
本開示のさらなる態様においては、同じ時間・周波数リソースを有する少なくとも１レイヤのリソースブロックの所定の無線リソースに割り当てられる信号を送信ポイントから受信するユーザ機器であって、送信ポイントからリソースブロックを受信する送受信部と、時間領域及び／又は周波数領域においてリソースブロックを検出して信号を取得する復調部と、を備え、信号が、
【数１１】
0006041278.tif 000012
に基づいて生成されたランダムシードによって初期化されたスクランブリングシーケンスによってスクランブルされており、等式において、
【数１２】
0006041278.tif 000013
であり、Ｍａｘが送信ポイントＩＤの最大値を表し、Ｃｉｎｉｔがランダムシードを表し、ｎｓがスロット番号を表し、ｎ＿ＲＮＴＩがユーザ機器に固有なＩＤを表す、ユーザ機器、を提供する。
【００２２】
本開示のさらなる態様においては、同じ時間・周波数リソースを有する少なくとも１レイヤのリソースブロックの所定の無線リソースに割り当てられる信号をスクランブルする方法であって、送信ポイントＩＤに基づいて生成される第１のランダムシードと、第２のランダムシードとから、ランダムシードを選択する工程と、選択されたランダムシードによってスクランブリングシーケンスを初期化する工程と、初期化されたスクランブリングシーケンスによって信号をスクランブルする工程と、を含む、方法、を提供する。
【００２３】
本開示のさらなる態様においては、同じ時間・周波数リソースを有する少なくとも１レイヤのリソースブロックの所定の無線リソースに割り当てられる信号をユーザ機器に送信する送信ポイント装置であって、送信ポイントＩＤに基づいて生成される第１のランダムシードと、第２のランダムシードとから、ランダムシードを選択する選択部と、選択されたランダムシードによってスクランブリングシーケンスを初期化する初期化部と、初期化されたスクランブリングシーケンスによって信号をスクランブルするスクランブル部と、スクランブルされた信号を有するリソースブロックをユーザ機器に送信する送受信部と、を備えている、送信ポイント装置、を提供する。
【００２４】
本開示のさらなる態様においては、同じ時間・周波数リソースを有する少なくとも１レイヤのリソースブロックの所定の無線リソースに割り当てられる信号を送信ポイントから受信するユーザ機器であって、送信ポイントから少なくとも１レイヤのリソースブロックを受信する送受信部と、時間領域及び／又は周波数領域においてリソースブロックを検出して信号を取得する復調部と、を備え、信号が、送信ポイントＩＤに基づいて生成される第１のランダムシードと、第２のランダムシードとから選択されるランダムシード、によって初期化されたスクランブリングシーケンスによって、スクランブルされている、ユーザ機器、を提供する。
【００２５】
本開示のさらなる態様においては、同じ時間・周波数リソースを有する少なくとも１レイヤのリソースブロックの所定の無線リソースに割り当てられる信号をスクランブルする方法であって、ＩＤテーブルを上位レイヤシグナリングを通じてユーザ機器に送り、ＩＤテーブルが、ＩＤ空間全体のサブセットであり、ユーザ機器に利用可能なＩＤを含む、工程と、ＩＤテーブルの中の使用されるＩＤを、物理レイヤシグナリングまたはユーザ機器に固有な上位レイヤシグナリングを通じてユーザ機器に通知する工程と、通知されたＩＤに基づいてランダムシードを生成する工程と、ランダムシードによってスクランブリングシーケンスを初期化する工程と、初期化されたスクランブリングシーケンスによって信号をスクランブルする工程と、を含む、方法、を提供する。
【００２６】
本開示のさらなる態様においては、同じ時間・周波数リソースを有する少なくとも１レイヤのリソースブロックの所定の無線リソースに割り当てられる信号をユーザ機器に送信する送信ポイント装置であって、ＩＤテーブルの中の使用されるＩＤを、物理レイヤシグナリングまたはユーザ機器に固有な上位レイヤシグナリングを通じてユーザ機器に通知し、ＩＤテーブルが上位レイヤシグナリングを通じてユーザ機器に送られ、ＩＤテーブルが、ＩＤ空間全体のサブセットであり、ユーザ機器に利用可能なＩＤを含む、通知部と、通知されたＩＤに基づいてランダムシードを生成するランダムシード生成部と、ランダムシードによってスクランブリングシーケンスを初期化する初期化部と、初期化されたスクランブリングシーケンスによって信号をスクランブルするスクランブル部と、スクランブルされた信号を有するリソースブロックをユーザ機器に送信する送受信部と、を備えている、送信ポイント装置、を提供する。
【００２７】
本開示のさらなる態様においては、同じ時間・周波数リソースを有する少なくとも１レイヤのリソースブロックの所定の無線リソースに割り当てられる信号を送信ポイント装置から受信するユーザ機器であって、送信ポイント装置から、リソースブロックと、物理レイヤシグナリングまたはユーザ機器に固有な上位レイヤシグナリングとを受信し、物理レイヤシグナリングまたはユーザ機器に固有な上位レイヤシグナリングが、ＩＤテーブルの中の使用されるＩＤをユーザ機器に通知し、ＩＤテーブルが上位レイヤシグナリングを通じてユーザ機器に送られ、ＩＤテーブルが、ＩＤ空間全体のサブセットであり、ユーザ機器に利用可能なＩＤを含む、送受信部と、時間領域及び／又は周波数領域においてリソースブロックを検出して信号を取得する復調部と、を備え、信号が、通知されたＩＤに基づいて生成されたランダムシードによって初期化されたスクランブリングシーケンスによってスクランブルされている、ユーザ機器、を提供する。
【００２８】
本開示においては、ＤＭＲＳのスクランブリングシーケンスを初期化するためのランダムシードを、ユーザ機器に固有なＩＤまたはグループＩＤに基づいて生成することにより、ＪＴのシナリオの場合には、複数の送信ポイントからの同じＤＭＲＳが保証される一方で、非ＣｏＭＰのシナリオの場合には、隣接する送信ポイントからの異なるＤＭＲＳが保証される。さらに、リリース１０のＤＭＲＳランダムシードと、ユーザ機器に固有なＤＭＲＳランダムシードとの間で切り替えることによって、ＭＵ（マルチユーザ）動作においては、ブラインド検出を可能にすることができ、ユーザ機器間の直交性を維持することができる一方で、非ＭＵ動作においては、ＪＴ動作と非ＣｏＭＰ動作とにおける矛盾する要件を解決することができる。さらには、物理レイヤシグナリングと上位レイヤシグナリングとを組み合わせて、使用されるグループＩＤとブラインド検出空間とをユーザ機器に通知することによって、ユーザ機器におけるブラインド検出が可能となり、シグナリングのオーバーヘッドが減少する。
【００２９】
上記は本開示の要約であり、したがって当然ながら、細部の単純化、一般化、および省略が含まれている。したがって、当業者には、上記の要約が説明のみを目的としており、本開示を制限することはまったく意図していないことが理解されるであろう。本明細書に記載されている装置、プロセス、その他の主題の別の態様、特徴、および利点は、以下に説明する教示内容から明らかになるであろう。上記の要約は、本開示の発想のうち重要な部分を簡略的に紹介することを目的としており、本開示の発想については、発明を実施するための形態のセクションでさらに説明する。上記の要約は、特許請求の範囲に記載された主題の重要な特徴または本質的な特徴を特定することを目的とするものではなく、特許請求の範囲に記載された主題の範囲を判断する目的で使用されるものでもない。
【００３０】
本開示の上記およびその他の特徴は、以下の説明および添付の特許請求の範囲を添付の図面を参照しながら検討することによって、さらに完全に明らかになるであろう。これらの図面は、本開示によるいくつかの実施形態のみを描いており、したがって本開示の範囲を制限するものとはみなされないことを理解されたい。以下では、添付の図面を使用しながら、本開示についてさらに具体的かつ詳細に説明する。
【図面の簡単な説明】
【００３１】
【図１】多重化されたＤＭＲＳの例を示した概略図
【図２】例示的なＪＴのシナリオを示した概略図
【図３】例示的な非ＣｏＭＰのシナリオを示した概略図
【図４】ＪＴのシナリオと非ＣｏＭＰのシナリオとの比較を示した概略図
【図５】例示的なＭＵ−ＭＩＭＯのシナリオを示した概略図
【図６】例示的なブラインド検出を示した概略図
【図７】本開示の第１の実施形態による送信ポイント装置を示したブロック図
【図８】本開示の第１の実施形態によるＵＥを示したブロック図
【図９】多重化されたＭＵ−ＭＩＭＯ  ＤＭＲＳの例を示した概略図
【図１０】本開示の第３の実施形態による送信ポイント装置を示したブロック図
【図１１】非特許文献１に定義されている、リリース１０におけるＤＭＲＳポートおよびＤＭＲＳランダムシードをＵＥに通知するためのテーブルを示す図
【図１２】本開示の第３の実施形態による、リリース１０のランダムシードとＵＥに固有なランダムシードとの間の選択をＵＥに通知するためのテーブルを示す図
【図１３】本開示の第３の実施形態による、リリース１０のランダムシードとＵＥに固有なランダムシードとの間の選択をＵＥに通知するための別のテーブルを示す図
【図１４】本開示の第５の実施形態による、信号をスクランブルする方法の流れ図を示した図
【図１５】本開示の第６の実施形態による、信号をスクランブルする方法の流れ図を示した図
【図１６】本開示の第７の実施形態による、グループＩＤの設定を示した概略図
【図１７】本開示の第９の実施形態による、上位レイヤシグナリングを通じてＵＥに設定される構造化されたグループＩＤテーブルの例を示す図
【図１８】本開示の第１０の実施形態による、物理レイヤシグナリングのパートＩに使用されるテーブルを示す図
【図１９】本開示の第１０の実施形態による、物理レイヤシグナリングのパートＩＩＩに使用されるテーブルを示す図
【図２０Ａ】ＵＥが送信ポイントの中心部から端部に移動するときに、送信ポイントが、第９および第１０の実施形態に定義されているように上位レイヤシグナリングおよび物理レイヤシグナリングを使用してＵＥを設定する場合の完全な例を示した概略図
【図２０Ｂ】ＵＥが送信ポイントの中心部から端部に移動するときに、送信ポイントが、第９および第１０の実施形態に定義されているように上位レイヤシグナリングおよび物理レイヤシグナリングを使用してＵＥを設定する場合の完全な例を示した概略図
【図２１】本開示の第１１の実施形態による、ＰＤＣＣＨの受信失敗に起因して物理レイヤシグナリングが失われる場合を示した概略図
【図２２】本開示の第１１の実施形態による、Ａｃｋ／Ｎｃｋメカニズムと組み合わせることによって、基地局装置とＵＥとの間の非同期性が回避される場合を示した概略図
【図２３】本開示の第１２の実施形態による、上位レイヤシグナリングを通じてＵＥに設定される構造化された「ｘ」ＩＤテーブルの例を示す図
【図２４】本開示の第１３の実施形態による、信号をスクランブルする方法の流れ図を示した図
【発明を実施するための形態】
【００３２】
以下の詳細な説明においては、添付の図面を参照し、これらの図面は本明細書の一部を形成している。図面においては、特に明記しない限り、一般には類似する記号は類似する要素を表している。なお、本開示の態様は、さまざまな異なる構造に編成する、置き換える、組み合わせる、および設計することができ、そのような態様すべては明示的に意図されたものであり、本開示の一部を形成することが、容易に理解されるであろう。
【００３３】
（第１の実施形態）
図７は、本開示の第１の実施形態による送信ポイント装置を示したブロック図である。
【００３４】
本開示の第１の実施形態による送信ポイント装置７００は、通信システムにおいてユーザ機器と通信するために使用される。送信ポイント装置７００は、同じ時間・周波数リソースを有する少なくとも１レイヤのリソースブロックの所定の位置（無線リソース、すなわちサブキャリアやサブフレームなどの時間リソース及び／又は周波数リソース）に割り当てられるＲＳ信号を、ＵＥに送信する。図７に示したように、送信ポイント装置７００は、ランダムシード生成部７０１と、初期化部７０２と、スクランブル部７０３と、送受信部７０４とを含む。ランダムシード生成部７０１は、ＵＥに固有なＩＤに基づいてランダムシードを生成する。初期化部７０２は、ランダムシード生成部７０１において生成されたランダムシードによってスクランブリングシーケンスを初期化する。スクランブル部７０３は、初期化部７０２において初期化されたスクランブリングシーケンスによって信号をスクランブルする。送受信部７０４は、スクランブル部７０３においてスクランブルされた信号を有するリソースブロックをＵＥに送信する。なお、この場合のＲＳ信号とは、例えばＤＭＲＳなど任意の種類のＲＳ信号とすることができることに留意されたい。ただし以下の説明では、簡潔さを目的として、例としてＤＭＲＳに焦点を当てる。
【００３５】
本開示による送信ポイント装置７００は、関連するプログラムを実行してさまざまなデータを処理し、送信ポイント装置７００の各構成部の動作を制御するＣＰＵ（Central Processing Unit）７１０、ＣＰＵ７１０がさまざまなプロセスおよび制御を実行するうえで要求されるさまざまなプログラムを格納するＲＯＭ（Read Only Memory）７１３、ＣＰＵ７１０によるプロセスおよび制御の手順の中で一時的に生成される中間データを格納するＲＡＭ（Random Access Memory）７１５、及び／又は、さまざまなプログラムやデータなどを入力または出力するＩ／Ｏ（入力／出力）部７１７、をさらに含むことができる。上記ランダムシード生成部７０１、初期化部７０２、スクランブル部７０３、送受信部７０４、ＣＰＵ７１０、ＲＯＭ７１３、ＲＡＭ７１５、及び／又、Ｉ／Ｏ部７１７は、データ／コマンドバス７２０を介して相互に接続することができ、互いの間で信号を伝送する。
【００３６】
上記各構成部は、本開示の範囲を制限するものではない。本開示の一実施形態によると、上記のランダムシード生成部７０１、初期化部７０２、スクランブル部７０３、および送受信部７０４のうちの任意の機能を、上記ＣＰＵ７１０、ＲＯＭ７１３、及び／又、ＲＡＭ７１５、Ｉ／Ｏ部７１７と組み合わせて、機能ソフトウェアによって実施することもできる。
【００３７】
送信ポイント装置７００における初期化部７０２、スクランブル部７０３、および送受信部７０４の動作は、当業者に周知であるため、これらの詳しい説明については、本発明の独創的な点との混同を回避する目的で、本明細書では省略する。以下では、送信ポイント装置７００のランダムシード生成部７０１の動作について詳しく説明する。
【００３８】
上記ランダムシード生成部７０１は、ＲＳ信号のスクランブリングシーケンスを初期化するためのランダムシードを、等式（１）に示したように送信ポイントＩＤを使用する代わりに、ＵＥに固有なＩＤに基づいて生成する。この場合、このようなＵＥに固有なＩＤは、ＩＭＳＩ（International Mobile Subscriber Identification Number）など、ＵＥに固有なグローバルな識別番号とすることができる。あるいは、このようなＵＥに固有なＩＤは、ｃ−ＲＮＴＩ（Cell Radio Network Temporary Identifier）など、ＵＥがＬＴＥネットワークにアクセスするときにＵＥに割り当てられる、ＵＥに固有なＩＤとすることもできる。
【００３９】
一例として、等式（２）は、ＲＳ信号（例えばＤＭＲＳ）のスクランブリングシーケンスを初期化するためのランダムシードを、次のようにｃ−ＲＮＴＩに基づいて生成する場合に使用される。
【数１３】
0006041278.tif 000014
【００４０】
この式において、Ｃｉｎｉｔは生成されるランダムシードを表し、ｎｓはスロット番号を表し、ｎ＿ＲＮＴＩは非特許文献２に定義されているパラメータであって、ＵＥに固有なＩＤを表す。なお、パラメータ「ｃ＿ＲＮＴＩ」は、複数の異なるＲＮＴＩを表す「ｎ＿ＲＮＴＩ」のサブセットであり、「ｎ＿ＲＮＴＩ」はほとんどの場合に「ｃ＿ＲＮＴＩ」である。したがって、ランダムシード生成部７０１は、等式（２）からランダムシードを生成することができる。
【００４１】
この実施形態における等式（２）と、リリース１０におけるＤＭＲＳランダムシードを生成するための上記の等式（１）とを比較することから理解できるように、等式（１）におけるパラメータｃｅｌｌ＿ｉｄが等式（２）には含まれていない。したがって、図４に示したような、ＪＴのシナリオと非ＣｏＭＰのシナリオとにおけるＤＭＲＳランダムシードに関する矛盾する要件が、等式（２）を使用することによって解決する。具体的には、ＪＴのシナリオでは、隣接する送信ポイント（セル）すべてが、ＵＥに固有なＩＤを使用してＤＭＲＳランダムシード（したがってスクランブリングシーケンス）を生成するため、たとえ送信ポイントの送信ポイントＩＤが異なっている場合でもＤＭＲＳが同じである。非ＣｏＭＰのシナリオでは、異なるＵＥが、ＵＥに固有な異なるＩＤを有し、ＤＭＲＳランダムシード（したがってスクランブリングシーケンス）を生成するのにこれらの異なるＩＤが使用されるため、たとえ送信ポイントの送信ポイントＩＤが同じである場合でもＤＭＲＳが異なる。したがって、隣接する送信ポイントにおける重複するＤＭＲＳが異なるスクランブリングシーケンスを有し、潜在的なセル間干渉がランダム化される。
【００４２】
図８は、本開示の第１の実施形態によるＵＥを示したブロック図である。本開示の第１の実施形態によるＵＥ８００は、通信システムにおいて送信ポイント装置と通信するために使用される。ＵＥ８００は、同じ時間・周波数リソースを有する少なくとも１レイヤのリソースブロックの所定の位置（無線リソース、すなわちサブキャリアやサブフレームなどの時間リソース及び／又は周波数リソース）に割り当てられたＲＳ信号を、送信ポイント装置から受信する。図８に示したように、ＵＥ８００は、送受信部８０１および復調部８０２を含む。送受信部８０１は、送信ポイント装置からリソースブロックを受信する。復調部８０２は、時間領域及び／又は周波数領域においてリソースブロックを検出してＲＳ信号を取得する。この場合、信号は、ＵＥに固有なＩＤに基づいて生成されたランダムシードによって初期化されたスクランブリングシーケンスによってスクランブルされている。
【００４３】
送信ポイント装置７００に関連して前述したように、ＤＭＲＳなどのＲＳ信号のスクランブリングシーケンスを初期化するためのランダムシードは、ＵＥに固有なＩＤ（例えば等式（２）に示したｃ−ＲＮＴＩ）に基づいて生成することができる。すなわち、この実施形態によると、ランダムシードを等式（２）から生成することができる。なお、等式（２）は単なる例示にすぎず、ＵＥに固有なＩＤはｃ−ＲＮＴＩに制限されることはなく、代わりに、ＩＭＳＩ、又は、本開示には記載されていないＵＥに固有な他のＩＤとすることができることに留意されたい。
【００４４】
本開示によるＵＥ８００は、関連するプログラムを実行してさまざまなデータを処理し、ＵＥ８００の各構成部の動作を制御するＣＰＵ（Central Processing Unit）８１０、ＣＰＵ８１０がさまざまなプロセスおよび制御を実行するうえで要求されるさまざまなプログラムを格納するＲＯＭ（Read Only Memory）８１３、ＣＰＵ８１０によるプロセスおよび制御の手順の中で一時的に生成される中間データを格納するＲＡＭ（Random Access Memory）８１５、及び／又、さまざまなプログラムやデータなどを入力または出力するＩ／Ｏ部８１７、をさらに含むことができる。上記送受信部８０１、復調部８０２、ＣＰＵ８１０、ＲＯＭ８１３、ＲＡＭ８１５、及び／又、Ｉ／Ｏ部８１７は、データ／コマンドバス８２０を介して相互に接続することができ、互いの間で信号を伝送する。
【００４５】
上記各構成部は、本開示の範囲を制限するものではない。本開示の一実施形態によると、上記の送受信部８０１および復調部８０２のうちの任意の機能を、上記のＣＰＵ８１０、ＲＯＭ８１３、ＲＡＭ８１５、及び／又、Ｉ／Ｏ部８１７と組み合わせて、機能ソフトウェアによって実施することもできる。
【００４６】
この実施形態によると、ＲＳ信号のスクランブリングシーケンスを初期化するためのランダムシードを、ＵＥに固有なＩＤに基づいて生成することによって、図４に示したような、ＪＴのシナリオと非ＣｏＭＰのシナリオとにおけるＤＭＲＳランダムシードに関する矛盾する要件が解決される。すなわち、ＪＴのシナリオでは、複数の送信ポイントからの同じＤＭＲＳが保証される一方で、非ＣｏＭＰのシナリオでは、隣接する送信ポイントからの異なるＤＭＲＳが保証される。
【００４７】
（第２の実施形態）
第１の実施形態において提示した等式（２）と、リリース１０におけるＤＭＲＳランダムシードを生成するための等式（１）とを比較することによって理解できるように、等式（２）から生成されるランダムシードは、等式（１）から生成されるランダムシードと衝突することがある。その理由として、等式（２）におけるパラメータｎ＿ＲＮＴＩの範囲が０〜２１６−１であるためである。等式（１）から生成されるランダムシードがリリース１０のＵＥに割り当てられる一方で、等式（２）から生成されるランダムシードがリリース１１のＵＥに割り当てられる場合を考えると、等式（１）から生成されるランダムシードが割り当てられるリリース１０のＵＥと、等式（２）から生成されるランダムシードが割り当てられるリリース１１のＵＥとが同時に存在する場合、上記衝突によって問題が発生することがある。
【００４８】
上記衝突の問題を解決するため、等式（３）は、第１の実施形態における等式（２）に関する１つの例示的な改善を次のように提供する。
【数１４】
0006041278.tif 000015
この式において、
【数１５】
0006041278.tif 000016
であり、Ｍａｘが送信ポイントＩＤの最大値を表し、パラメータＣｉｎｉｔ、ｎｓ、およびｎ＿ＲＮＴＩは、等式（２）の場合と同じである。
【００４９】
等式（３）を等式（１）と比較することで容易に理解できるように、等式（３）におけるパラメータＭａｘはｃｅｌｌ＿ｉｄの最大値に対応するため、Ｍａｘ≧ｃｅｌｌ＿ｉｄである。したがって、
【数１６】
0006041278.tif 000017
、したがって、
【数１７】
0006041278.tif 000018
である。さらに、等式（１）におけるパラメータＳＣＩＤは、一般には０または１として設定され、したがってＳＣＩＤ＜２である。したがって、
【数１８】
0006041278.tif 000019
である。このため、等式（３）から生成されるランダムシードは、等式（１）から生成されるリリース１０のＤＭＲＳランダムシードよりも常に大きい。ランダムシードを生成する等式（３）を使用することで、ランダムシードが衝突する上記問題を解決することができる。なお、等式（３）は、等式（２）に対する１つの例示的な改善策にすぎず、上記ランダムシード衝突問題の解決策はこれに限定されない。例えば、等式（３）における定数「２」は臨界値であり、２よりも大きい任意の数に置き換えることができる。したがって、この実施形態によると、送信ポイント装置（例えば７００）またはＵＥ（例えば８００）に対して、等式（３）からランダムシードを生成することができる。
【００５０】
この実施形態によると、第２の実施形態の、ＵＥに固有なランダムシードを生成する等式（２）を改善することによって、ＵＥに固有なランダムシードとリリース１０のランダムシードとの衝突を回避することができ、その一方で、図４に示したようなＪＴのシナリオと非ＣｏＭＰのシナリオにおけるＤＭＲＳランダムシードに関する矛盾した要件が解決される。
【００５１】
（第３の実施形態）
前述したように、受信側においてＤＭＲＳをブラインド検出することは、ＭＵ−ＭＩＭＯ動作においてＵＥが干渉を推定するうえで役立つ。しかしながら、等式（２）または等式（３）を使用してＤＭＲＳランダムシードを生成する場合、ＵＥはブラインド検出を実行できないことがある。なぜなら、この場合にはＵＥに固有なランダムシードの候補が多すぎる、またはブラインド検出空間が大きすぎるためである。例えば、上述した等式（２）および等式（３）のいずれにおいても、ｎ＿ＲＮＴＩの値の候補は２１６個存在し、等式（２）または等式（３）から生成されうるランダムシードは２１６個存在し、結果としてＤＭＲＳのディメンション（dimension）は、リリース１０のＤＭＲＳランダムシード生成等式（１）を使用する図６の場合よりも大幅に多い。ＤＭＲＳのディメンションが多すぎる場合、ＤＭＲＳのブラインド検出を実行することは困難である。
【００５２】
ＭＵ−ＭＩＭＯにおけるＤＭＲＳポートの間の直交性は、等式（２）および等式（３）の別の問題点である。図５に示したように、ＭＵ−ＭＩＭＯの場合、２基のＵＥ（すなわちＵＥ１およびＵＥ２）が存在する。ここで、ＵＥ１にＤＭＲＳポート７（ＯＣＣ［１，１］）が割り当てられており、ＵＥ２にＤＭＲＳポート８（ＯＣＣ［１，−１］）が割り当てられており、ＵＥ１およびＵＥ２の両方が、等式（２）または等式（３）から生成されるＵＥに固有なランダムシードによって設定されているものと想定する。したがって、図９に示したように、２つの異なるシーケンスがそれぞれ２つの直交ＤＭＲＳポート（ポート７およびポート８）にスクランブルされる。図９は、多重化されたＭＵ−ＭＩＭＯ  ＤＭＲＳの例を示した概略図である。図９においては、ＯＣＣ［１，１］に対応するポート７がスクランブリングシーケンス［Ａ１，Ｂ１．．．］によってスクランブルされ、ＯＣＣ［１，−１］に対応するポート８がスクランブリングシーケンス［Ｃ１，Ｄ１．．．］によってスクランブルされる。２つのスクランブリングシーケンスは、それぞれ、ＵＥに固有なそれぞれのＩＤに基づいて上記等式（２）または等式（３）から生成される２つの異なるランダムシードによって初期化される。この場合、（Ａ１＊）Ｃ１＋（Ｂ１＊）Ｄ１＝０または［Ａ１，Ｂ１］⊥［Ｃ１，Ｄ１］であるならば、２つのＤＭＲＳポート間の直交性は損なわれる。したがって、このようなＭＵ−ＭＩＭＯの場合、ＭＵ  ＵＥの間のＤＭＲＳ直交性を維持するためには、２つのＭＵ  ＵＥに直交ＤＭＲＳポート７（例えばポート７およびポート８）が割り当てられている場合、これらのＭＵ  ＵＥに同じスクランブリングシーケンスを使用する必要がある。
【００５３】
図５および図６を参照しながら上述したように、リリース１０のＤＭＲＳランダムシードの設計ではブラインド検出が可能であることを考慮して、この実施形態の基本的な発想は、ＵＥに固有なＩＤに基づいてＤＭＲＳランダムシードを生成する場合に発生する上記２つの問題を解決する目的で、等式（１）から生成されるリリース１０のＤＭＲＳランダムシードと、等式（３）から生成されるＵＥに固有なＤＭＲＳランダムシードとの間で切り替えることである。具体的には、ＵＥがＭＵ−ＭＩＭＯ動作であるときには、リリース１０のランダムシード生成等式（１）から生成されるリリース１０のＤＭＲＳランダムシードを使用してＵＥが設定され、そうでない場合、等式（３）から生成されるＵＥに固有なランダムシードを使用してＵＥが設定される。
【００５４】
このような切替えの利点として、ＵＥがＭＵ動作であるときには、リリース１０のランダムシードを使用することでブラインド検出が可能となり、ＵＥの間の直交性を維持することができる。ＵＥがＭＵ動作でないときには、ＵＥに固有なランダムシードを使用することで、ＪＴ動作および非ＣｏＭＰ動作の両方における矛盾する要件を満たすことができる。
【００５５】
図１０は、本開示の第３の実施形態による送信ポイント装置を示したブロック図である。本開示の第３の実施形態による送信ポイント装置１０００は、通信システムにおいてＵＥと通信するために使用される。送信ポイント装置１０００は、第１の実施形態の送信ポイント装置７００に類似して、同じ時間・周波数リソースを有する少なくとも１レイヤのリソースブロックの所定の位置（無線リソース、すなわちサブキャリアやサブフレームなどの時間リソース及び／又は周波数リソース）に割り当てられるＲＳ信号を、ＵＥに送信する。図１０に示したように、送信ポイント装置１０００は、選択部１００１と、初期化部１００２と、スクランブル部１００３と、送受信部１００４とを含むことができる。選択部１００１は、送信ポイントＩＤに基づいて生成される第１のランダムシードと、ＵＥに固有なＩＤに基づいて生成される第２のランダムシードとから、ランダムシードを選択する。初期化部１００２は、選択部１００１において選択されたランダムシードによってスクランブリングシーケンスを初期化する。スクランブル部１００３は、初期化部１００２において初期化されたスクランブリングシーケンスによって信号をスクランブルする。送受信部１００４は、スクランブル部１００３においてスクランブルされた信号を有するリソースブロックをＵＥに送信する。なお、この場合のＲＳ信号とは、例えばＤＭＲＳなど任意の種類のＲＳ信号とすることができることに留意されたい。
【００５６】
本開示による送信ポイント装置１０００は、ＣＰＵ１０１０、ＲＯＭ１０１３、ＲＡＭ１０１５、及び／又、Ｉ／Ｏ部１０１７をさらに含むことができ、これらの要素は、いずれも第１の実施形態の送信ポイント装置７００における要素と同じである。ここでは簡潔さを目的として、これらの要素の機能の説明を省略する。さらに、上記の選択部１００１、初期化部１００２、スクランブル部１００３、送受信部１００４、ＣＰＵ１０１０、ＲＯＭ１０１３、ＲＡＭ１０１５、及び／又、Ｉ／Ｏ部１０１７は、データ／コマンドバス１０２０を介して相互に接続することができ、互いの間で信号を伝送する。
【００５７】
上記各構成部は、本開示の範囲を制限するものではない。本開示の一実施形態によると、上記の選択部１００１、初期化部１００２、スクランブル部１００３、送受信部１００４のうちの任意の機能を、上記ＣＰＵ１０１０、ＲＯＭ１０１３、ＲＡＭ１０１５、及び／又、Ｉ／Ｏ部１０１７と組み合わせて、機能ソフトウェアによって実施することもできる。
【００５８】
この実施形態によると、図８に示したＵＥは、送信ポイント装置１０００からリソースブロックを受信して信号を取得することができる。この信号は、送信ポイントＩＤに基づいて生成された第１のランダムシードと、ＵＥに固有なＩＤに基づいて生成された第２のランダムシードとから選択されるランダムシード、によって初期化されたスクランブリングシーケンスによって、スクランブルされている。
【００５９】
リリース１０のＤＭＲＳランダムシードとＵＥに固有なＤＭＲＳランダムシードとの間での切替えを実施するためには、切替えについてＵＥに通知するためのシグナリングが必要である。１つの単純な方法は、現在のＰＨＹ（物理レイヤ）シグナリングに、切替え用の１ビットのシグナリングフラグを追加することである。ただし、ＵＥに切替えを通知する方法は、上述した方法に限定されないことに留意されたい。
【００６０】
この実施形態によると、送信ポイント装置１０００は、切替えフラグとして１ビットのシグナリングを追加することによって、第１のランダムシードと第２のランダムシードの間の切替え（選択）をＵＥに通知する通知部、をさらに含む（ただし図１０には示していない）。第１のランダムシードは等式（１）から生成することができる。第２のランダムシードは、第１のランダムシードとは異なる。第２のランダムシードは等式（３）から生成することができる。
【００６１】
この実施形態によると（ただし図８には示していない）、ＵＥ８００の送受信部８０２は、第１のランダムシードと第２のランダムシードの選択を切替えフラグとしての１ビットのシグナリングによって示すメッセージをさらに受信することができ、この場合、第１のランダムシードは等式（１）から生成することができ、第２のランダムシードは第１のランダムシードとは異なり、第２のランダムシードは等式（３）から生成することができる。
【００６２】
この実施形態によると、リリース１０のＤＭＲＳランダムシードとＵＥに固有なＤＭＲＳランダムシードとの間で切り替えることによって、ＭＵ動作においてブラインド検出を可能とすることができ、ＵＥの間の直交性を維持することができる。一方で、非ＭＵ動作において、ＪＴ動作および非ＣｏＭＰ動作の両方における矛盾する要件を解決することができる。
【００６３】
以下では、リリース１０のＤＭＲＳランダムシードとＵＥに固有なＤＭＲＳランダムシードの選択をＵＥに通知する方法に焦点を当てて説明する。
【００６４】
図１１は、非特許文献１に定義されている、リリース１０におけるＤＭＲＳポートおよびＤＭＲＳランダムシードをＵＥに通知するためのテーブルを示している。図１１に示したように、テーブルは２つの部分に分割されており、左側の部分は１つの符号語の場合に対応し、右側の部分は２つの符号語の場合に対応する。左側の部分（１つの符号語の場合）において、左列には１つの符号語における８つの値０〜７が入力されており、右列は、その値が示すメッセージを表している。値７が予約されていることを除いて、それ以外の７つの値０〜６は、それぞれＤＭＲＳポートとＤＭＲＳランダムシードの異なる組合せを示している。具体的には、値０は、ポート７による１レイヤ送信、ＳＣＩＤ＝０の場合を示しており、値１は、ポート７による１レイヤ送信、ＳＣＩＤ＝１の場合を示しており、値２は、ポート８による１レイヤ送信、ＳＣＩＤ＝０の場合を示しており、値３は、ポート８による１レイヤ送信、ＳＣＩＤ＝１の場合を示しており、値４は、ポート７〜８による２レイヤ送信、ＳＣＩＤ＝０の場合を示しており、値５は、ポート７〜９による３レイヤ送信、ＳＣＩＤ＝０の場合を示しており、値６は、ポート７〜１０による４レイヤ送信、ＳＣＩＤ＝０の場合を示している。
【００６５】
図１１におけるテーブルの右側の部分（２つの符号語の場合）は、左側の部分に類似している。すなわち、２つの符号語における８つの値０〜７は、それぞれＤＭＲＳポートとＤＭＲＳランダムシードの８つの異なる組合せを示している。具体的には、値０は、ポート７〜８による２レイヤ送信、ＳＣＩＤ＝０の場合を示しており、値１は、ポート７〜８による２レイヤ送信、ＳＣＩＤ＝１の場合を示しており、値２は、ポート７〜９による３レイヤ送信、ＳＣＩＤ＝０の場合を示しており、値３は、ポート７〜１０による４レイヤ送信、ＳＣＩＤ＝０の場合を示しており、値４は、ポート７〜１１による５レイヤ送信、ＳＣＩＤ＝０の場合を示しており、値５は、ポート７〜１２による６レイヤ送信、ＳＣＩＤ＝０の場合を示しており、値６は、ポート７〜１３による７レイヤ送信、ＳＣＩＤ＝０の場合を示しており、値７は、ポート７〜１４による８レイヤ送信、ＳＣＩＤ＝０の場合を示している。
【００６６】
物理レイヤシグナリングでは、さまざまな値がエアインタフェースを介して送信される。ＵＥは、さまざまな値を受信し、図１１のテーブルに従って値の意味を解釈する。
【００６７】
図１１から理解できるように、ＳＣＩＤは、ほとんどの場合（すなわち、１つの符号語に対応する左側の部分における値０，２，４，５，６の場合と、２つの符号語に対応する右側の部分における値０，２，３，４，５，６，７の場合）において、０に等しい。このことから得られる発想として、ランダムシードの選択をＵＥに通知するための暗黙的なシグナリングとして、ＳＣＩＤを使用することができる。図１２は、この実施形態による、リリース１０のランダムシードとＵＥに固有なランダムシードの選択をＵＥに通知するためのテーブルを示している。図１２においては、１つの符号語の場合と２つの符号語の場合の両方において、８つの値を使用してリリース１１のメッセージを示す。
【００６８】
図１２のテーブルと図１１のテーブルとを比較することによって理解できるように、図１１における「ＳＣＩＤ＝０」が、図１２においては「リリース１１のメッセージ」における「ＵＥに固有なシード」（ＵＥに固有なランダムシード）に置き換えられており、図１１における「ＳＣＩＤ＝１」が、図１２においては「リリース１０のシード（ＳＣＩＤ＝０）」（リリース１０のランダムシード）に置き換えられている。この場合、「リリース１０のシード（ＳＣＩＤ＝０）」は、ＳＣＩＤが０として設定されている場合に等式（１）から得られる次の等式（４）を表している。
【数１９】
0006041278.tif 000020
【００６９】
この式において、パラメータＮＩＤｃｅｌｌは、等式（１）におけるパラメータｃｅｌｌ＿ｉｄと等価であり、送信ポイントＩＤの値を表す。図１２における「ＵＥに固有なシード」は、ＵＥに固有なＩＤに基づいて等式（３）から生成されるランダムシードを意味する。図１２に示したテーブルでは、図１１のテーブルにおける「ＳＣＩＤ」を、リリース１０のランダムシードとＵＥに固有なランダムシードの選択をＵＥに通知するための暗黙的なシグナリングとして使用している。すなわち、図１１におけるＳＣＩＤが０であるとき、そのことは、ＵＥに固有なランダムシードの選択を示しており、図１１におけるＳＣＩＤが１であるとき、そのことは、等式（４）から生成されるリリース１０のランダムシードの選択を示している。
【００７０】
したがって、この実施形態によると、ＳＣＩＤを切替えフラグとして使用することによって、リリース１０のランダムシードとＵＥに固有なランダムシードとの間の切替え（選択）を、１ビットのシグナリングフラグを追加することなく現在の物理レイヤシグナリングを通じてＵＥに通知することができる。
【００７１】
なお、図１２に示したテーブルは一例にすぎないことに留意されたい。図１２のテーブルの「値」と「メッセージ」の間の関係を再編成した場合、以前と同じ効果が得られることが容易に理解されるであろう。ただし再編成した後には、「ＳＣＩＤ」を切替えフラグとして解釈することはできない。
【００７２】
リリース１０のＤＭＲＳランダムシードには、２つの候補、すなわちＳＣＩＤ＝０（等式（４））およびＳＣＩＤ＝１が存在することに留意されたい。しかしながら、図１２のテーブルでは、リリース１０のＤＭＲＳランダムシード（リリース１０のシード）に切り替えられるとき、ＳＣＩＤ＝０の場合のみが維持されている。図６を参照することで理解できるように、この場合にブラインド検出が可能であるならば、ＳＣＩＤ＝０の場合のみと２つのＯＣＣ（［１，１］および［１，−１］）との組合せから、ブラインド検出のディメンションは２つのみとなる。しかしながら、リリース１０では、実際にはブラインド検出の４つのディメンションがサポートされている。
【００７３】
この実施形態においては、図１２のテーブルにおけるブラインド検出のディメンションに関する上記制約を克服する目的で、ＲＳランダムシードの切替えをＵＥに通知するための切替えフラグの新規のビットを導入する代わりに、非特許文献１に定義されているテーブル（図１１のテーブル）を修正することができる。
【００７４】
この実施形態は、図１２のテーブルを分析することから開始する。第一に、１つの符号語の場合における値７が予約値である。第二に、ポート７（ＯＣＣ［１，１］）およびポート８（ＯＣＣ［１，−１］）の両方が、ＵＥに固有なランダムシードをサポートすることができる。さらには、非ＭＵ動作（例えばＪＴ動作および非ＣｏＭＰ動作）の場合、第１の実施形態および第２の実施形態において説明したように、ＵＥに固有なランダムシードを使用することで十分な効果が得られる。ＭＵ動作の場合、ＤＭＲＳランダムシードがリリース１０のランダムシードに切り替えられる。したがって、ポート７およびポート８の一方がＵＥに固有なランダムシードによって設定されれば十分であると結論することができる。
【００７５】
上記の分析に基づき、この実施形態の基本的な発想は以下のとおりである。１）１レイヤ送信におけるＤＭＲＳランダムシードは、ＭＵのシナリオの場合のリリース１０におけるＤＭＲＳランダムシードと同じである。２）図１１における現在のシグナリングのテーブルの中の予約値７を利用する。３）非ＭＵのシナリオの場合、（ポート７およびポート８の両方の代わりに）ポート７またはポート８の一方をＵＥに固有なランダムシードによって設定する。図１３は、この実施形態による、リリース１０のランダムシードとＵＥに固有なランダムシードの間の切替え（選択）をＵＥに通知するための別のテーブルを示している。図１３に示したテーブルは、図１２に示したテーブルを改良したものである。この実施形態では、図１２のテーブルの左側の部分（１つの符号語の場合）のみが修正されており、右側の部分（２つの符号語の場合）は変更されないため、簡潔さを目的として、図１３には、修正された左側の部分のみを示してある。
【００７６】
図１３では、ＭＵ動作の場合、リリース１０のランダムシードは、等式（１）から生成される通常のリリース１０のランダムシードである。すなわち、値０〜３に対応するメッセージは、図１１のテーブルにおける値０〜３に対応するメッセージと同じである。これにより、ブラインド検出の４つのディメンションが確保される。図１３における値４〜６に対応するメッセージは、図１２のテーブルにおける値４〜６に対応するメッセージと同じであり、この場合、ＵＥに固有なランダムシードは、等式（３）から生成されるランダムシードである。図１１および図１２において予約されている値７は、図１２においては、ポート７による１レイヤ送信、ＵＥに固有なシードの場合を示している。予約値を使用し、ランク１送信においてＵＥに固有なランダムシードを使用して１つのみのポート（例えばポート７）を設定しているため、図１３に示したテーブルにおいては通常のリリース１０のランダムシードを維持することが可能である。なお、これに代えて、値７は、ポート８による１レイヤ送信、ＵＥに固有なシードの場合を示すことができる。
【００７７】
この実施形態によると、ＭＵブラインド検出空間は、リリース１０におけるブラインド検出空間と同じであり、その一方で、ＤＭＲＳランダムシードの切替えをＵＥに通知するための新規のシグナリングビットを導入する必要がない。
【００７８】
なお、図１３のテーブルは一例にすぎず、テーブルの「値」と「メッセージ」の間の関係を再編成した場合、上述した効果と同じ効果が得られる。さらに、ＭＵのシナリオのランク１送信においてＵＥに固有なランダムシードを使用して１つのポート（ポート７またはポート８）を設定すれば十分であるという意味において、図１２のテーブルにおける値「０」または「２」の一方のみを維持することも可能であることが、当業者には理解されるであろう。具体的には、値０を維持する場合、値１，２，３，７を使用することで、１レイヤ送信における異なるポートとリリース１０の異なるランダムシードの４つの組合せを示すことができる。同様に、値２を維持する場合、値０，１，３，７を使用することで、１レイヤ送信における異なるポートとリリース１０の異なるランダムシードの４つの組合せを示すことができる。
【００７９】
上述した例は、いずれも下りリンクＤＭＲＳの場合に焦点を当てている。実際には、上りリンクのＤＭＲＳの場合にも、同様の問題が発生する。例えば、ＰＵＳＣＨ（物理上りリンク共有チャネル：Physical Uplink Shared Channel）の場合のＵＬ（上りリンク）ＤＭＲＳにおいては、送信ポイントＩＤに基づくランダムシードによってスクランブリングシーケンスが初期化される。隣接する送信ポイントが同じ送信ポイントＩＤを有する場合、隣接する送信ポイントの間でＰＵＳＣＨのＤＭＲＳが互いに干渉することがある。この場合、ＵＥに固有なＩＤ（例えばｎ＿ＲＮＴＩ）に基づくＵＥに固有なランダムシードを使用する方が、例えば送信ポイントＩＤに基づく送信ポイントに固有なランダムシードを使用するよりも良好である。
【００８０】
この実施形態によると、上りリンクＲＳ信号は、ＵＥに固有なＩＤに基づいて生成されるランダムシードによって初期化されたスクランブリングシーケンスによってスクランブルすることができる。
【００８１】
この実施形態によると、上りリンクＲＳ信号は、送信ポイントに固有なＩＤに基づいて生成される第１のランダムシードと、ＵＥに固有なＩＤに基づいて生成される第２のランダムシードとから選択されるランダムシード、によって初期化されたスクランブリングシーケンス、によってスクランブルすることもできる。
【００８２】
上記の説明は、いずれもＲＳ（例えばＤＭＲＳ）の設計に焦点を当てている。実際には、スクランブリングは、データチャネル（例えばＰＤＳＣＨ（物理下りリンク共有チャネル：Physical Downlink Shared Channel）又はＰＵＳＣＨ）と、制御チャネル（例えばＰＤＣＣＨ（物理下りリンク制御チャネル：Physical Downlink Control Channel）又はＰＵＣＣＨ（物理上りリンク制御チャネル：Physical Uplink Control Channel））にも適用される。セルまたは送信ポイントの間で発生しうるセル間干渉をランダム化するため、ランダムシードによって初期化されたスクランブリングシーケンスがデータチャネルまたは制御チャネルにスクランブルされる。ランダムシードの生成には、送信ポイントＩＤも関与する。したがって、隣接するセルまたは送信ポイントが異なる送信ポイントＩＤを有する場合、ＪＴ動作において、前述した問題が発生する。この場合、ＵＥに固有なＩＤに基づくＵＥに固有なランダムシードを使用してスクランブリングシーケンスを初期化することも解決策である。
【００８３】
この実施形態によると、送信ポイント装置（例えば７００，１０００）またはＵＥ（例えば８００）において、信号は、ＲＳ、制御チャネルの制御信号、およびデータチャネルのデータ信号のうちのいずれか１つとすることができる。すなわち、この実施形態によると、信号（制御チャネルの制御信号またはデータチャネルのデータ信号のいずれか）を、ＵＥに固有なＩＤに基づいて生成されるランダムシードによって初期化されたスクランブリングシーケンスによってスクランブルすることができる。あるいは、この実施形態によると、信号（制御チャネルの制御信号またはデータチャネルのデータ信号のいずれか）を、送信ポイントに固有なＩＤに基づいて生成される第１のランダムシードと、ＵＥに固有なＩＤに基づいて生成される第２のランダムシードとから選択されるランダムシード、によって初期化されたスクランブリングシーケンス、によってスクランブルすることもできる。
【００８４】
ＬＴＥ（リリース８，９）およびＬＴＥ−Ａ（リリース１０）においては、下りリンク制御チャネル（ＰＤＣＣＨ）は、復調のためのＲＳとして使用されるＣＲＳ（制御参照信号）に基づいている。ＣＲＳは、プリコーディングされることなく送信ポイントに固有である。しかしながら、リリース１１またはそれ以降のリリースでは、復調するための参照信号としてＤＭＲＳを利用することによって、ＰＤＣＣＨがＥ−ＰＤＣＣＨ（Ｅｎｈａｎｃｅｄ  ＰＤＣＣＨ）に強化される可能性が高い。この場合、上述した発想は、ＤＭＲＳに基づくＥ−ＰＤＣＣＨにも次のように適用することができる。１）ＤＭＲＳランダムシードは、ＵＥに固有なＩＤに基づいて生成することができる。２）ＤＭＲＳランダムシードは、ＵＥに固有なランダムシードと送信ポイントに固有なランダムシード（例えばリリース１０のランダムシード）との間で切り替えることができる。
【００８５】
前述した理由に加えて、Ｅ−ＰＤＣＣＨのＤＭＲＳランダムシードをＵＥに固有なＩＤに基づいて生成することのもう１つの利点として、ＵＥがＥ−ＰＤＣＣＨを検出するとき、Ｅ−ＰＤＣＣＨは制御チャネルであるため、そのＵＥは潜在的なＤＭＲＳの設定を認識していない。したがって、Ｅ−ＰＤＣＣＨにリリース１０のＤＭＲＳランダムシードが使用されている場合、ＵＥは、少なくとも、ＳＣＩＤ＝０またはＳＣＩＤ＝１のどちらが使用されているかを「推測する」必要がある。しかしながら、Ｅ−ＰＤＣＣＨにＵＥに固有なＤＭＲＳランダムシードが使用されている場合、ＵＥは、Ｅ−ＰＤＣＣＨの検出時にＤＭＲＳランダムシードを認識する。なぜなら、ｃ−ＲＮＴＩなどのＵＥに固有なＩＤは、この段階ですでにＵＥに割り当てられているためである。
【００８６】
（第４の実施形態）
上述した第１〜第３の実施形態では、いずれも、ＵＥに固有なＩＤに基づいて生成されるランダムシードを使用して、信号をスクランブルするためのスクランブリングシーケンスを初期化する。しかしながら、ランダムシードを生成するときのＩＤは、ＵＥに固有なＩＤに限定されない。グループＩＤ（共通ＩＤと称することもできる）に基づいてランダムシードを生成することも可能である。グループＩＤとは、ＵＥのグループが１つのＩＤを共有できることを意味し、ランダムシードとしてＵＥに固有なＩＤを使用する場合とは異なる。一例として、等式（５）は、信号のスクランブリングシーケンスを初期化するためのランダムシードを、次のようにグループＩＤに基づいて生成するために使用される。
【数２０】
0006041278.tif 000021
この式において、Ｃｉｎｉｔはランダムシードを表し、ｎｓはスロット番号を表し、ｇｒｏｕｐ＿ｉｄはグループＩＤを表す。
【００８７】
等式（５）を等式（１）と比較することによって理解できるように、これら２つの等式の違いとして、等式（１）におけるｃｅｌｌ＿ｉｄが等式（５）ではｇｒｏｕｐ＿ｉｄに置き換えられている。さらに等式（５）にはＳＣＩＤが含まれていない。等式（１）の場合、ＵＥは、送信ポイントに固有な方法（すなわちブロードキャストチャネル）を通じてｃｅｌｌ＿ｉｄを認識する。同様に、等式（５）の場合、送信ポイント装置がｇｒｏｕｐ＿ｉｄを割り当てて、ＵＥに固有なシグナリングによってＵＥに通知することができる。
【００８８】
ｇｒｏｕｐ＿ｉｄを使用することにより、ランダムシードの要件（例えば、図４に示したように、ＪＴ動作ではランダムシードが同じであること、非ＣｏＭＰ動作ではランダムシードが異なること）を、送信ポイントが同じｇｒｏｕｐ＿ｉｄまたは異なるｇｒｏｕｐ＿ｉｄをＵＥに割り当てることによって、満たすことができる。
【００８９】
しかしながら、ＭＵ動作においては、リリース１１のＵＥとリリース１０のＵＥとが同時に存在することがある。この場合、リリース１１のＵＥが、等式（５）によって生成されるランダムシードを使用する場合、リリース１０のＵＥは、リリース１１のＵＥのＭＵ干渉の場合のブラインド検出を行うことができない。この問題を解決するため、上述した第３の実施形態の発想をこの実施形態においても使用することができる。すなわち、ＭＵ動作の場合には、送信ポイントＩＤに基づいて等式（１）によって生成されるリリース１０のランダムシードを使用してスクランブリングシーケンスを初期化して信号をスクランブルする。それ以外の場合（例えばＪＴ動作および非ＣｏＭＰ動作）には、等式（５）によって生成されるランダムシードを使用する。
【００９０】
この実施形態によると、送信ポイント装置（例えば１０００）は、グループＩＤをＵＥに固有なシグナリングによってＵＥに通知する通知部をさらに含むことができる。第２のランダムシードは、グループＩＤを含んだ等式（５）から生成される。
【００９１】
この実施形態によると、ＵＥ（例えば８００）において、送受信部は、グループＩＤを示すＵＥに固有なシグナリングを送信ポイントからさらに受信することができる。第２のランダムシードは、グループＩＤを含んだ等式（５）から生成される。
【００９２】
（第５の実施形態）
図１４は、本開示の第５の実施形態による、信号をスクランブルする方法の流れ図を示した図である。
【００９３】
図１４に示したように、本開示の第５の実施形態による方法１４００は、同じ時間・周波数リソースを有する少なくとも１レイヤのリソースブロックの所定の無線リソースに割り当てられる信号をスクランブルするために使用される。ステップＳ１４０１において、ＵＥに固有なＩＤに基づいてランダムシードを生成する。ステップＳ１４０２において、ランダムシードによってスクランブリングシーケンスを初期化する。ステップＳ１４０３において、初期化されたスクランブリングシーケンスによって信号をスクランブルする。
【００９４】
この実施形態によると、上記ステップＳ１４０１はランダムシード生成部７０１によって実行することができ、上記ステップＳ１４０２は初期化部７０２によって実行することができ、上記ステップＳ１４０３はスクランブル部７０３によって実行することができる。
【００９５】
この実施形態によると、ＵＥに固有なＩＤは、ＵＥに固有なグローバルな識別番号とすることができる。
【００９６】
この実施形態によると、ＵＥに固有なＩＤは、ＩＭＳＩ（International Mobile Subscriber Identification Number）とすることができる。
【００９７】
この実施形態によると、ＵＥに固有なＩＤは、ＵＥがＬＴＥネットワークにアクセスするときにＵＥに割り当てられる、ＵＥに固有なＩＤとすることができる
【００９８】
この実施形態によると、ＵＥに固有なＩＤは、ｃ−ＲＮＴＩとすることができる。
【００９９】
この実施形態によると、方法１４００は、等式（２）に基づいてランダムシードを生成する工程、をさらに含むことができる（ただし図１４には示していない）。
【０１００】
この実施形態によると、方法１４００は、等式（３）に基づいてランダムシードを生成する工程、をさらに含むことができる（ただし図１４には示していない）。
【０１０１】
この実施形態によると、信号は、参照信号、制御チャネルの制御信号、およびデータチャネルのデータ信号のうちの１種類とすることができる。
【０１０２】
この実施形態によると、信号は、復調用参照信号（ＤＭＲＳ）とすることができる。
【０１０３】
この実施形態によると、方法１４００は、スクランブルされた信号を有するリソースブロックを、送信ポイントからＵＥに、またはＵＥから送信ポイントに送信する工程、をさらに含むことができる（ただし図１４には示していない）。この工程は、送信ポイント装置７００の送受信部７０４およびＵＥ８００の送受信部８０１によって実行することができる。
【０１０４】
この実施形態によると、信号のスクランブリングシーケンスを初期化するためのランダムシードを、ＵＥに固有なＩＤに基づいて生成することによって、ＪＴのシナリオおよび非ＣｏＭＰのシナリオにおけるランダムシードに関する矛盾する要件が解決される。
【０１０５】
（第６の実施形態）
図１５は、本開示の第６の実施形態による、信号をスクランブルする方法の流れ図を示した図である。
【０１０６】
図１５に示したように、この実施形態による方法１５００は、同じ時間・周波数リソースを有する少なくとも１レイヤのリソースブロックの所定の無線リソースに割り当てられる信号をスクランブルする目的で使用される。ステップＳ１５０１において、送信ポイントＩＤに基づいて生成される第１のランダムシードと、第２のランダムシードとから、ランダムシードを選択する。ステップＳ１５０２において、選択されたランダムシードによってスクランブリングシーケンスを初期化する。ステップＳ１５０３において、初期化されたスクランブリングシーケンスによって信号をスクランブルする。
【０１０７】
この実施形態によると、上記ステップＳ１５０１は選択部１００１によって実行することができ、上記ステップＳ１５０２は初期化部１００２によって実行することができ、上記ステップＳ１５０３はスクランブル部１００３によって実行することができる。
【０１０８】
この実施形態によると、第２のランダムシードは、送信ポイントによって割り当てられるグループＩＤに基づいて生成することができる。
【０１０９】
この実施形態によると、方法１５００は、グループＩＤを、ＵＥに固有なシグナリングによってＵＥに通知する工程、をさらに含むことができる（ただし図１５には示していない）。この工程は、送信ポイント装置１０００の通知部（図１０には示していない）によって実行することができる。
【０１１０】
この実施形態によると、第２のランダムシードは、等式（５）から生成することができる。
【０１１１】
この実施形態によると、第２のランダムシードは、ＵＥに固有なＩＤに基づいて生成することができる。
【０１１２】
この実施形態によると、方法１５００は、切替えフラグとしての１ビットのシグナリングを追加することによって、第１のランダムシードと第２のランダムシードの選択を受信器側に通知する工程、をさらに含むことができる。この工程は、送信ポイント装置１０００の通知部（図１０には示していない）によって実行することができる。
【０１１３】
この実施形態によると、方法１５００は、１つの符号語によって設定されるシグナリングを使用することによって、第１のランダムシードと第２のランダムシードの選択を受信器側に通知する工程、をさらに含むことができる。１つの符号語における７個の値は、それぞれ、次の７つの場合、すなわち、第１のポートによって設定された１レイヤの信号および第２のランダムシード、第１のポートによって設定された１レイヤの信号および第１のランダムシード、第２のポートによって設定された１レイヤの信号および第２のランダムシード、第２のポートによって設定された１レイヤの信号および第１のランダムシード、第１および第２のポートによって設定された２レイヤの信号および第２のランダムシード、第１、第２、および第３のポートによって設定された３レイヤの信号および第２のランダムシード、および、第１〜第３のポートおよび第４のポートによって設定された４レイヤの信号および第２のランダムシード、を示す。この工程は、送信ポイント装置１０００の通知部（図１０には示していない）によって実行することができる。
【０１１４】
この実施形態によると、方法１５００は、２つの符号語によって設定されるシグナリングを使用することによって、第１のランダムシードと第２のランダムシードの選択を受信器側に通知する工程、をさらに含むことができる。２つの符号語における８個の値は、それぞれ、次の８つの場合、すなわち、第１および第２のポートによって設定された２レイヤの信号および第２のランダムシード、第１および第２のポートによって設定された２レイヤの信号および第１のランダムシード、第１、第２、および第３のポートによって設定された３レイヤの信号および第２のランダムシード、第１〜第４のポートによって設定された４レイヤの信号および第２のランダムシード、第１〜第４のポートおよび第５のポートによって設定された５レイヤの信号および第２のランダムシード、第１〜第５のポートおよび第６のポートによって設定された６レイヤの信号および第２のランダムシード、第１〜第６のポートおよび第７のポートによって設定された７レイヤの信号および第２のランダムシード、および、第１〜第７のポートおよび第８のポートによって設定された８レイヤの信号および第２のランダムシード、を示す。この工程は、送信ポイント装置１０００の通知部（図１０には示していない）によって実行することができる。
【０１１５】
この実施形態によると、第１のランダムシードは、等式（１）から生成される。
【０１１６】
この実施形態によると、方法１５００は、１つの符号語によって設定されるシグナリングを使用することによって、第１のランダムシードと第２のランダムシードの選択を受信器側に通知する工程、をさらに含むことができる。１つの符号語における８個の値は、それぞれ、次の８つの場合、すなわち、第１のポートによって設定された１レイヤの信号およびＳＣＩＤ＝０の第１のランダムシード、第１のポートによって設定された１レイヤの信号およびＳＣＩＤ＝１の第１のランダムシード、第２のポートによって設定された１レイヤの信号およびＳＣＩＤ＝０の第１のランダムシード、第２のポートによって設定された１レイヤの信号およびＳＣＩＤ＝１の第１のランダムシード、第１および第２のポートによって設定された２レイヤの信号および第２のランダムシード、第１、第２、および第３のポートによって設定された３レイヤの信号および第２のランダムシード、第１〜第３のポートおよび第４のポートによって設定された４レイヤの信号および第２のランダムシード、および、第１のポートまたは第２のポートによって設定された１レイヤの信号および第２のランダムシード、を示す。この工程は、送信ポイント装置１０００の通知部（図１０には示していない）によって実行することができる。
【０１１７】
この実施形態によると、第２のランダムシードは、第１のランダムシードとは異なる。
【０１１８】
この実施形態によると、第２のランダムシードは、等式（３）から生成される。
【０１１９】
この実施形態によると、信号は、参照信号、制御チャネルの制御信号、およびデータチャネルのデータ信号のうちの１つとすることができる。
【０１２０】
この実施形態によると、方法１５００は、スクランブルされた信号を有するリソースブロックを、送信ポイントからＵＥに、またはＵＥから送信ポイントに送信する工程、をさらに含むことができる。この工程は、送信ポイント装置１０００の送受信部１００４およびＵＥ８００の送受信部８０１によって実行することができる。
【０１２１】
この実施形態によると、送信ポイントに固有なランダムシードと、ＵＥに固有なランダムシード、または送信ポイントによって割り当てられるグループＩＤに基づいて生成されるランダムシードとの間で切り替えることによって、ＭＵ動作においてブラインド検出を可能にすることができ、ＵＥ間の直交性を維持することができる。一方で、非ＭＵ動作において、ＪＴ動作および非ＣｏＭＰ動作の両方における矛盾する要件を解決することができる。
【０１２２】
（第７の実施形態）
第４の実施形態において上述したように、グループＩＤを使用してランダムシードを生成することによって、図４に示したように、ＪＴ動作におけるランダムシードの要件と、非ＣｏＭＰ動作におけるランダムシードの要件とを満足することができる。しかしながら、ＵＥに固有なＩＤを使用してＤＭＲＳシードを生成する方法（この場合、ＵＥに固有なＩＤはＵＥに既知である）とは異なり、グループＩＤを使用してＤＭＲＳシードを生成する場合には、グループＩＤをＵＥ側に通知する必要がある。この実施形態は、グループＩＤをＵＥに通知する方法に焦点を当てる。
【０１２３】
グループＩＤを使用してＤＭＲＳランダムシードを生成するときには、次の２つの設定を決定する必要がある。
１）背景技術で説明した複数の異なるシナリオ（ＣｏＭＰ、非ＣｏＭＰ、およびＭＵの各シナリオ）に対応するために必要であるグループＩＤの数。
２）使用されるグループＩＤをＵＥに通知する方法（すなわち、上位レイヤシグナリングによるか、物理レイヤシグナリングによるか）。
【０１２４】
設定１）については、シナリオによってグループＩＤの数が異なる。具体的には、ＣｏＭＰシナリオまたは非ＣｏＭＰシナリオにおいてグループＩＤを使用する場合、ＤＭＲＳに起因するセル間干渉を回避するためには大きな範囲のグループＩＤが有用なことがある。これに対して、ＭＵ動作においてグループＩＤを使用する場合、ＭＵブラインド検出を行うには小さい範囲のグループＩＤが有用なことがある。
【０１２５】
設定２）についても、グループＩＤを使用するシナリオによって通知方法が異なる。具体的には、ＵＥが送信ポイント（セル）の境界域にあり、ＣｏＭＰ状態と非ＣｏＭＰ状態の間の切替えが高速で行われる場合、グループＩＤを高速で設定する必要がある（上位レイヤシグナリングはこのような切替えを追跡できない）。したがって、物理レイヤシグナリングが必要である。ＵＥが送信ポイント（セル）の中心に位置し、ＭＵ状態と非ＭＵ状態との間の切替えが高速で行われる場合にも、同様のことがあてはまる。しかしながら、ＵＥが送信ポイント（セル）の中心から端に移動し、ＤＭＲＳランダムシードを再設定する必要がある場合、上位レイヤシグナリングで十分である。
【０１２６】
したがって、グループＩＤが使用される特定のケースに応じて、大きい範囲または小さい範囲のグループＩＤと、上位レイヤシグナリングまたは物理レイヤシグナリングのいずれも、何らかの種類のシナリオを満足させることができる。大きな範囲のグループＩＤと物理レイヤシグナリングがつねに使用されるならば、それは多大な無駄を意味する。したがって、適切な範囲のグループＩＤと、グループＩＤをＵＥに設定する方法をどのように選択するかは、重要な問題である。
【０１２７】
この実施形態においては、上位レイヤシグナリングと物理レイヤシグナリングとを組み合わせることでこの問題を解決することを提案する。グループＩＤをＵＥに設定する（送る）ための提案する方法は、次の２つの工程からなる。
１）グループＩＤテーブルを、上位レイヤシグナリングを通じてＵＥに設定する（送る）。このテーブルは、ＵＥが使用できる利用可能なグループＩＤを含む。グループＩＤの範囲全体は大きくすることができるが、ネットワーク側がグループＩＤ空間全体のうちのサブセットを設定してＵＥに送ることができる。
２）グループＩＤテーブルをＵＥに設定した（送った）後、グループＩＤテーブルの中のどのグループＩＤが使用されるかを、物理レイヤシグナリングを使用してＵＥに通知する。
【０１２８】
この実施形態の基本的な発想は、図１６に示してある。図１６は、この実施形態による、グループＩＤの設定を示した概略図である。図１６には、３つのマクロセル（マクロ送信ポイント）１〜３を示してある。マクロセル１においては、ＭＵ動作が実行され、基地局装置１および４基のＵＥ１〜４が存在する。マクロセル２においては、ＪＴ（ＣｏＭＰ）動作が実行され、基地局装置２と、２基の低電力ノード（ＬＰＮ）１，２と、ＵＥ５とが存在し、基地局装置２、低電力ノード１、および低電力ノード２は、いずれもそれぞれ異なる送信ポイント（セル）ＩＤを有する。マクロセル３においては、非ＣｏＭＰ動作が実行され、基地局装置３と、４基の低電力ノード１〜４と、３基のＵＥ６〜８とが存在し、基地局装置３、低電力ノード１、低電力ノード２、低電力ノード３、および低電力ノード４のいずれも、同じ送信ポイント（セル）ＩＤを有する。この場合、基地局装置または低電力ノードは、送信ポイント（装置）とも称することができる。
【０１２９】
３種類の動作を実行しているこれらの３つのマクロセルにおいて、ネットワーク側は、異なるマクロセル内のＵＥに異なるグループＩＤテーブルを、それぞれ上位レイヤシグナリングを通じて設定する（送る）。図１６に示したように、グループＩＤテーブルそれぞれは、２つの部分、すなわち「インデックス」および「情報」を含み、「インデックス」はインデックスを示し、「情報」は、ＵＥに利用可能な対応するグループＩＤを示す。
【０１３０】
具体的には、図１６に示したように、マクロセル１の中のＵＥ１〜４は、図の左側のグループＩＤテーブルによって設定されている。このグループＩＤテーブルには、２つのインデックス０，１と、それぞれに対応するグループＩＤ（すなわちグループＩＤ  １およびグループＩＤ  ２）が含まれている。図６を参照しながら上述したように、ＭＵ動作状態のＵＥ１〜４の２つのランダムシードは、ＭＵブラインド検出の要件を満たすことができる。したがってマクロセル１の場合には２つの利用可能なグループＩＤで十分である。
【０１３１】
マクロセル２の場合、基地局装置２、低電力ノード１、および低電力ノード２がそれぞれ異なる送信ポイント（セル）ＩＤを有する。このため、それぞれの異なる送信ポイントＩＤに基づいて生成される異なるＤＭＲＳランダムシードは、背景技術で説明したようにＪＴ動作におけるランダムシードの要件を満たすことができない。したがって、この場合には要件を満たすことができるように、グループＩＤを使用してＤＭＲＳランダムシードを生成する。具体的には、ＵＥ５は、図の中央のグループＩＤテーブルによって設定される。このグループＩＤテーブルには、３つのインデックス０，１，２と、それぞれに対応するグループＩＤ（すなわちグループＩＤ  ３、グループＩＤ  ４、およびグループＩＤ  ５）が含まれている。この場合、３つの利用可能なグループＩＤが提供されているのは、マクロセル２の中に３つの送信ポイント（すなわち基地局装置２および低電力ノード１，２）が存在するためである。
【０１３２】
マクロセル３の場合、基地局装置３、低電力ノード１、低電力ノード２、低電力ノード３、および低電力ノード４のすべてが同じ送信ポイント（セル）ＩＤを有する。このため、それぞれの同じ送信ポイントＩＤに基づいて生成される同じＤＭＲＳランダムシードは、背景技術で説明したように非ＣｏＭＰ動作におけるランダムシードの要件を満たすことができない。したがって、この場合には要件を満たすことができるように、グループＩＤを使用してＤＭＲＳランダムシードを生成する。具体的には、ＵＥ６〜８は、図の右側のグループＩＤテーブルによって設定される。このグループＩＤテーブルには、５つのインデックス０〜４と、それぞれに対応するグループＩＤ６〜１０が含まれている。この場合、５つの利用可能なグループＩＤが提供されているのは、マクロセル３の中に５つの送信ポイント（すなわち基地局装置３および低電力ノード１〜４）が存在するためである。
【０１３３】
上述したように、ＵＥに設定されるグループＩＤテーブルは、ＵＥによって使用され得る最大数のグループＩＤを含むことができる。これはグループＩＤ空間全体のサブセットである。図１６に示したように、グループＩＤ空間全体は、多数のグループＩＤ（例えばグループＩＤ  １〜グループＩＤ  Ｎ）を含むことができる。しかしながら、ＵＥに設定されるグループＩＤテーブルの中のグループＩＤの数は、制限される。したがって、各ＵＥには、小さい範囲のインデックスのみで十分である。
【０１３４】
ＵＥがネットワーク側から上位レイヤシグナリングを通じてグループＩＤテーブルによって設定されているとき、送信ポイント装置（基地局装置）は、物理レイヤシグナリングを使用して、そのグループＩＤテーブルの中のどのグループＩＤが使用されるかをＵＥに通知する、またはグループＩＤテーブルの中の使用される「インデックス」をＵＥに通知する。具体的には、例えばマクロセル１の場合、基地局装置１の通知によって、ＵＥ１およびＵＥ３のＤＭＲＳは、インデックス０（すなわちグループＩＤ  １）に基づいて生成されるランダムシードによって初期化されるスクランブリングシーケンスによってスクランブルされ、ＵＥ２およびＵＥ４のＤＭＲＳは、インデックス１（すなわちグループＩＤ  ２）に基づいて生成されるランダムシードによって初期化されるスクランブリングシーケンスによってスクランブルされる。
【０１３５】
マクロセル２の場合、ＵＥ５に設定されるグループＩＤテーブルには３つの利用可能なグループＩＤ  ３〜５が含まれているが、実際には３つの利用可能なグループＩＤすべてが必ず使用されるわけではない。例えば、異なる送信ポイントによるＪＴ動作の場合、図４を参照しながら上述したように、設定されたグループＩＤテーブルの中の利用可能なグループＩＤのうちの１つに基づいて、同じランダムシードが生成される。したがって例えば、図１６に示したように、基地局装置２および低電力ノード２の両方においてインデックス０（すなわちグループＩＤ  ３）に基づいて同じランダムシードが生成されることが、基地局装置２および低電力ノード２からの物理レイヤシグナリングを通じてＵＥ５に通知される。
【０１３６】
次にマクロセル３について説明する。図４を参照しながら説明したように、隣接する送信ポイントによる非ＣｏＭＰ動作の場合、ＤＭＲＳに起因するセル間干渉を回避するため、異なるグループＩＤに基づいて生成される異なるＤＭＲＳランダムシードが要求される。したがって、図１６に示したように、干渉する２つの隣接する送信ポイントである基地局装置３（ＵＥ７に信号を送信する）および低電力ノード２（ＵＥ６に信号を送信する）の動作においては、基地局装置３のランダムシードがインデックス２（すなわちグループＩＤ  ８）に基づいて生成されることが、基地局装置３から物理レイヤシグナリングを通じてＵＥ７に通知され、低電力ノード２のランダムシードがインデックス０（すなわちグループＩＤ  ６）に基づいて生成されることが、低電力ノード２から物理レイヤシグナリングを通じてＵＥ６に通知される。同様に、干渉する２つの隣接する送信ポイントである基地局装置３（ＵＥ７に信号を送信する）および低電力ノード４（ＵＥ８に信号を送信する）の動作においては、低電力ノード４のランダムシードがインデックス４（すなわちグループＩＤ  １０）に基づいて生成されることが、低電力ノード４から物理レイヤシグナリングを通じてＵＥ８にさらに通知される。
【０１３７】
なお、マクロセルの中に異なる種類の動作が同時に存在する可能性がある。例えば、図１６のマクロセル３に示したように、２つの送信ポイントである低電力ノード２および低電力ノード１が同じＵＥ（すなわちＵＥ６）に信号を送信する。これはＪＴ動作のケースである。このため、低電力ノード１のＤＭＲＳは、低電力ノード２のＤＭＲＳと同じであるべきである。したがって、低電力ノード１のランダムシードがインデックス０（すなわち低電力ノード２の場合と同じグループＩＤ  ６）に基づいて生成されることが、低電力ノード１から物理レイヤシグナリングを通じてＵＥ６に通知される。
【０１３８】
図１６においては、各マクロセルに、グループＩＤの異なるサブセットが割り当てられている。これは、送信ポイント（セル）にグループＩＤを割り当てるうえで単純な方式である。しかしながら、本開示は、この方式に制限されず、異なる送信ポイント（セル）に割り当てられるグループＩＤが互いに重複していることも可能である。
【０１３９】
この実施形態によると、送信ポイント装置（例えば７００）は、通知部（図示していない）をさらに備えていることができる。この通知部は、上位レイヤシグナリングを通じてＵＥに設定された（送られた）グループＩＤテーブルの中のどのグループＩＤが使用されるかを、物理レイヤシグナリングを通じてＵＥに通知する。この場合、グループＩＤテーブルは、グループＩＤ空間全体のサブセットであり、ＵＥに利用可能なグループＩＤを含む。したがって、送信ポイント装置のランダムシード生成部（例えば７０１）は、通知されるグループＩＤに基づいてランダムシードを生成する。
【０１４０】
この実施形態によると、ＵＥ（例えば８００）は、自身の送受信部（例えば８０１）によって、送信ポイント装置から物理レイヤシグナリングをさらに受信することができる。この物理レイヤシグナリングは、上位レイヤシグナリングを通じてＵＥに設定された（送られた）グループＩＤテーブルの中のどのグループＩＤが使用されるかをＵＥに通知する。この場合、グループＩＤテーブルは、グループＩＤ空間全体のサブセットであり、ＵＥに利用可能なグループＩＤを含む。
【０１４１】
この実施形態に説明されているグループＩＤテーブルを使用することで、システムは、複数の異なる場合に対応する柔軟性を備える。１つのケースとして、例えば、異なるＤＭＲＳランダムシードの間での高速の切替えがＵＥに必要であるときには、物理レイヤシグナリングを使用することができる。別のケースとして、例えばＵＥが送信ポイント（セル）の中心部から端部に移動するときには、システムは、ＵＥのグループＩＤテーブルを上位レイヤシグナリングを通じて再設定することができる。このようにグループＩＤテーブルを再設定することが可能であるため、各グループＩＤテーブルは限られた数のグループＩＤを含むことができる。すなわち、グループＩＤテーブルの中のどのグループＩＤが使用されるかをＵＥに通知する目的で物理レイヤシグナリングを使用するときのシグナリングのオーバーヘッドが、それほど大きくない。
【０１４２】
（第８の実施形態）
上位レイヤシグナリングと物理レイヤシグナリングとを組み合わせてＵＥにグループＩＤを設定することで、ＤＭＲＳランダムシードに関する異なる要件を満たす柔軟性が得られるが、依然として残る１つの問題は、ＵＥのブラインド検出空間をどのように決定するかである。１つの単純な方法は、ＵＥが、上位レイヤシグナリングによって設定されるグループＩＤテーブルをブラインド検出空間とみなすことである（ＵＥは、テーブルの中のすべてのグループＩＤが自身との干渉を発生させ得ると想定する）。しかしながら、グループＩＤテーブルに含まれるグループＩＤの数は同じとは限らず、例えば図１６に示したように、マクロセル１〜３に設定されるグループＩＤテーブルには、それぞれ２つ、３つ、および５つの利用可能なグループＩＤが含まれている。さらには、ブラインド検出器の設計において、ＵＥは最大のブラインド検出空間（すなわち、干渉する可能性のある最大数のランダムシード）に対応する必要がある。したがって、グループＩＤテーブル全体をブラインド検出空間とみなす方法では、ブラインド検出の能力又は信頼性が低下する。背景技術で図６を参照しながら説明したように、リリース１０においては、ブラインド検出空間は２つのみのランダムシードに制限されている。
【０１４３】
したがって、この実施形態の解決策は、第７の実施形態で説明した物理レイヤシグナリングが次の２つのパートを含む。
パートＩ：グループＩＤテーブルの中のどのグループＩＤがＵＥに使用されるかを、そのＵＥに通知する。
パートＩＩ：グループＩＤテーブルの中のどのグループＩＤが、ＵＥと干渉する別のＵＥに使用されるかを、最初のＵＥに通知する。
【０１４４】
このような場合、ＵＥのブラインド検出空間は、パートＩによって通知されるグループＩＤと、パートＩＩによって通知されるグループＩＤとから構成される。したがって、ＵＥ側におけるブラインド検出は、物理レイヤシグナリングのパートＩおよびパートＩＩから通知されるブラインド検出空間内で実行される。
【０１４５】
ブラインド検出空間を物理レイヤシグナリングを通じてＵＥに通知することによって、ＵＥのブラインド検出空間を、グループＩＤテーブル全体とする代わりに制限することができる。
【０１４６】
（第９の実施形態）
上記の第８の実施形態においては、パートＩから通知される、ＵＥのためのグループＩＤと、パートＩＩから通知される、別のＵＥのためのグループＩＤは、いずれも、上位レイヤシグナリングを通じてＵＥに設定される（送られる）グループＩＤテーブルから選択される。言い換えれば、パートＩおよびパートＩＩの候補のグループＩＤが同じであり、いずれも、設定されたグループＩＤテーブルの中のグループＩＤである。
【０１４７】
しかしながら、実際には、パートＩＩの場合、別のＵＥは、最初のＵＥと同じ送信ポイント（セル）の中のＵＥであること（ＭＵの場合）、または、最初のＵＥとは異なる送信ポイント（セル）の中のＵＥであることがある。すなわち、パートＩおよびパートＩＩの候補のグループＩＤは、場合によって同じであって、または異なる。例えば、複数のＵＥが送信ポイント（セル）の中心付近に存在するＭＵの場合、これらのＵＥは、ＭＵ状態とＳＵ状態との間で高速に切り替えることができる。したがって、パートＩおよびパートＩＩの候補のグループＩＤは同じであり、いずれも、上位レイヤシグナリングを通じてＵＥに設定された（送られた）グループＩＤテーブルの中のグループＩＤである。これに対して、ＵＥが送信ポイント（セル）の端部に移動するときには、別のＵＥは、ほとんどの場合には隣接する送信ポイント（セル）の中に存在する。したがって、パートＩＩの候補のグループＩＤは、その隣接する送信ポイント（セル）に設定されたグループＩＤテーブルの中のグループＩＤである可能性が高い。このような場合、パートＩの候補のグループＩＤと、パートＩＩの候補のグループＩＤとが異なる。
【０１４８】
上記の分析に基づき、この実施形態においては、構造化されたグループＩＤテーブル（structured group ID table）を上位レイヤシグナリング（例えばＲＲＣ（無線リソース制御：Radio Resource Control））を通じてＵＥに設定することを提案する。具体的には、上位レイヤシグナリングを通じてＵＥに設定される構造化されたグループＩＤテーブルは、２つのセット（例えばセット１およびセット２）からなる。ＵＥのＤＭＲＳランダムシードに使用されるグループＩＤはセット１から選択される。すなわち上述した物理レイヤシグナリングのパートＩがセット１の中である。ＵＥと干渉する別のＵＥのＤＭＲＳランダムシードに使用されるグループＩＤはセット１またはセット２から選択される。すなわち物理レイヤシグナリングのパートＩＩがセット１またはセット２の中である。
【０１４９】
図１７は、この実施形態による、上位レイヤシグナリングを通じてＵＥに設定される構造化されたグループＩＤテーブルの例を示している。図１７には、詳細な一例を示してある。この構造化されたグループＩＤテーブルにおいては、例えばセット１およびセット２それぞれが２つのグループＩＤを含む。具体的には、セット１は２つのインデックス０，１および対応するグループＩＤ（すなわちｉｄ  ０およびｉｄ  １）を含み、セット２は２つのインデックス２，３および対応するグループＩＤ（すなわちｉｄ  ２およびｉｄ  ３）を含む。１つのケースとして、セット１がローカルな送信ポイント（セル）に使用され、セット２が、干渉する送信ポイント（セル）に使用される。すなわち、セット１の中のｉｄ  ０およびｉｄ  １は、ローカルな送信ポイントの中のＵＥに利用可能な２つのグループＩＤであり、セット２の中のｉｄ  ２およびｉｄ  ３は、干渉する送信ポイントの中のＵＥに利用可能な２つのグループＩＤである。
【０１５０】
したがって、ＭＵの場合（例えばローカルな送信ポイントの中心付近）、物理レイヤシグナリングのパートＩおよびパートＩＩによって通知されるグループＩＤは、いずれも、構造化されたグループＩＤテーブルのセット１から選択され、なぜならＵＥ自身と、干渉するＵＥ（ＵＥと干渉する別のＵＥ）の両方が、ローカルな送信ポイントの中に存在しているためである。これに対して、ＵＥがローカルな送信ポイントの端部に移動するときには、パートＩによって通知されるグループＩＤは依然としてセット１から選択されるのに対して、パートＩＩによるグループＩＤはセット２から選択され、なぜなら、干渉するＵＥは、干渉する送信ポイント（例えば最初のＵＥが位置しているローカルな送信ポイントに隣接する送信ポイント）の中に存在している可能性が高いためである。
【０１５１】
上述したように、物理レイヤシグナリングのパートＩによって通知されるグループＩＤは、ＵＥに設定される構造化されたグループＩＤテーブルのセット１から常に選択されるのに対して、パートＩＩによるグループＩＤは、セット１またはセット２のいずれかから選択される。したがってこのような場合、物理レイヤシグナリングにおけるパートＩおよびパートＩＩに要求されるのはそれぞれ１ビットのみである。それ以外のオーバーヘッドは、パートＩＩによって通知されるグループＩＤを選択するための、セット１とセット２との間の切替えを示す１ビットのシグナリングであり、このシグナリングは、一般的にはＵＥが移動する場合に発生するものであるため、それほど頻繁には送られない。
【０１５２】
この構造化されたグループＩＤテーブルを使用しないときには、合計で４つの候補のグループＩＤが存在する場合、パートＩおよびパートＩＩそれぞれに２ビットが要求される。したがって、上位レイヤシグナリングを通じてＵＥに設定される（送られる）構造化されたグループＩＤテーブルによって、物理レイヤシグナリングのオーバーヘッドが５０％減少する。
【０１５３】
この実施形態においては、上位レイヤシグナリングを通じてＵＥに設定される構造化されたグループＩＤテーブルの各セットには、２つの利用可能なグループＩＤが含まれている。しかし、本開示はこれに制限されず、本開示の方法は、複数のレイヤの信号が多重化される場合に拡張することができる。すなわち、上位レイヤシグナリングを通じてＵＥに設定される構造化されたグループＩＤテーブルの各セットが、複数のレイヤの信号に対応する複数の利用可能なグループＩＤを含むことができる。
【０１５４】
次の実施形態においては、構造化されたグループＩＤテーブルを含む対応する物理レイヤシグナリングの設計方法について、詳細な例を使用してさらに示す。
【０１５５】
（第１０の実施形態）
上述した第３の実施形態においては、非特許文献１に定義されているテーブル（図１１に示してある）を再利用して、ＤＭＲＳポートおよびＤＭＲＳランダムシードをＵＥに通知する方法を示した。この第１０の実施形態においては、類似する方法を再設計することで、上述したように上位レイヤシグナリングを通じてＵＥに設定される（送られる）構造化されたグループＩＤテーブルに対応することができる。具体的には、物理レイヤシグナリングは、次の３つのパートから構成することができる。
パートＩ：セット１から選択されるどのグループＩＤが、ＵＥのＤＭＲＳに使用されるかを、そのＵＥに通知する。
パートＩＩ：セット１またはセット２から選択されるどのグループＩＤが、ＵＥと干渉する別のＵＥに使用されるかを、最初のＵＥに通知する。
パートＩＩＩ：パートＩＩによって通知されるグループＩＤが選択される対象の干渉ランダムシード空間（干渉グループＩＤ空間）としてのセット１およびセット２の間の切替えを、ＵＥに通知する。
【０１５６】
図１８は、この実施形態による物理レイヤシグナリングのパートＩに使用されるテーブルを示している。パートＩの場合、図１１に示したテーブルを、図１８に示したテーブルのように再設計することができる。図１８には、簡潔さを目的として、多重化された１レイヤを有する１つの符号語の場合のみを示している。ただし本開示はこれに制限されない。図１８に示したように、同じ値０〜４に対して、２つの列「メッセージ、リリース１０」および「メッセージ、リリース１１」は、それぞれ、リリース１０およびリリース１１におけるＤＭＲＳポートとランダムシードの対応する組合せを示している。具体的には、リリース１１においては、値に対応するＤＭＲＳポートはリリース１０における対応するＤＭＲＳポートと同じであり、ＤＭＲＳランダムシードに使用されるグループＩＤ（すなわちインデックス）は、リリース１０におけるＳＣＩＤによって示すことができる。したがって、ＤＭＲＳランダムシードをＵＥに通知するために新規のビットは要求されない。この場合、図１８のテーブルにおける「インデックス」は、図１７の構造化されたグループＩＤテーブルにおける「インデックス」を表す。
【０１５７】
パートＩＩの場合、図１７に示した構造化されたグループＩＤテーブルにおいて、干渉するＵＥ（ＵＥと干渉する別のＵＥ）に使用されるグループＩＤに対応するインデックスをＵＥに通知するため、新しい追加の１ビットが要求される。
【０１５８】
図１９は、この実施形態による、物理レイヤシグナリングのパートＩＩＩに使用されるテーブルを示している。パートＩＩＩの場合、図１１のテーブルを、図１９に示したテーブルのように再設計することができる。具体的には、リリース１０における、以前には予約されていた値「７」が、干渉ランダムシード空間（干渉グループＩＤ空間）の切替え（例えば図１７に示した構造化されたグループＩＤテーブルにおけるセット１とセット２の間の切替え）を示す切替え信号として再利用されている。
【０１５９】
容易に理解されるように、パートＩとパートＩＩＩのいずれも現在のＬ１シグナリング（例えば現在のＤＣＩフォーマット２Ｃ）を通じてＵＥに通知され、したがって、ＵＥに物理レイヤシグナリングを送るたびに、パートＩとパートＩＩＩの一方のみを現在のＬ１シグナリングを通じてＵＥに通知することができる。これに続いて、次の課題は、基地局装置などの送信ポイント装置が予約値（「７」）をＵＥに送るとき、どのＤＭＲＳランダムシードおよびどのＤＭＲＳポートが使用されるかである。これを解決するため、この場合には次の規則を設定することが可能である。
１）セット１（すなわちパートＩＩではなくパートＩ）の中の、ＵＥのＤＭＲＳランダムシードに使用されるグループＩＤを、この場合には新しい追加のビットを使用してＵＥに示す。
２）ＵＥは、ポート７（ＯＣＣ［１，１］）またはポート８（ＯＣＣ［１，−１］）を使用するように決められる。
３）この場合のＵＥのブラインド検出空間はセット１の中である。
【０１６０】
図２０Ａおよび図２０Ｂは、ＵＥが送信ポイントの中心部から端部に移動するときに、送信ポイントが、第９および第１０の実施形態に定義されているように上位レイヤシグナリングおよび物理レイヤシグナリングを使用してＵＥを設定する場合の完全な例を示した概略図である。
【０１６１】
図２０Ａに示したように、２つのセル（送信ポイント）１，２（基地局装置１および基地局装置２）が存在する。送信ポイント１においては、時刻Ｔ１においてＵＥ１およびＵＥ２がＭＵ動作状態にある。したがってこの時刻においてＵＥ２は、ＵＥ１と干渉するＵＥであるものと想定する。次に時刻Ｔ２において、ＵＥ１が送信ポイント１の中心部から端部に移動する。その後、時刻Ｔ３において、ＵＥ１は送信ポイント１の端部に到着し、この時刻では、送信ポイント２の中のＵＥ３が、ＵＥ１と干渉するＵＥとなる。
【０１６２】
この例においては、ＵＥ１は、図の左側に示した構造化されたグループＩＤテーブルによって、ＲＲＣなどの上位レイヤシグナリングを通じて設定される。ＵＥ１の構造化されたグループＩＤテーブルには、「サービングセル」と「干渉セル」という２つのセットが含まれており、これらのセットの名称はその内容を適切に表現したものであり、上に定義されているセット１およびセット２と実質的に同等である。具体的には、「サービングセル」のセットは、ＵＥ１に利用可能な２つのグループＩＤを含み、これはグループＩＤ空間全体のサブセットであり、ＵＥ１のサービングセル（送信ポイント）として機能する送信ポイント１の中のＵＥに割り当てられる。「干渉セル」のセットは、ＵＥ１に対する干渉セル（送信ポイント）（例えばこの例では送信ポイント２）の中のＵＥに利用可能な２つのグループＩＤを含み、このセットもグループＩＤ空間全体のサブセットである。この例において容易に理解できるように、「サービングセル」におけるｉｄ  ０およびｉｄ  １は、ＵＥ１およびＵＥ２に利用可能なグループＩＤであり、ｉｄ  ２およびｉｄ  ３はＵＥ３に利用可能なグループＩＤである。
【０１６３】
同様に、ＵＥ３も、図の右側に示した構造化されたグループＩＤテーブルによって、ＲＲＣなどの上位レイヤシグナリングを通じて設定される。ＵＥ３の場合、ＵＥ１とは異なり、そのサービングセル（送信ポイント）は送信ポイント２であり、その干渉セル（送信ポイント）が送信ポイント１であり、したがって、「サービングセル」には、ＵＥ３に利用可能なグループＩＤとしてｉｄ  ２およびｉｄ  ３が含まれており、「干渉セル」には、ＵＥ３に対する干渉セル（例えばこの例では送信ポイント１）の中のＵＥに利用可能なグループＩＤとしてｉｄ  ０およびｉｄ  １が含まれている。
【０１６４】
上述したように、図２０Ａは、この例では上位レイヤシグナリングを通じてＵＥに設定される（送られる）構造化されたグループＩＤテーブルを示している。以下では、ＵＥ１が送信ポイント１の中心部から端部に移動する間に、物理レイヤシグナリング（Ｌ１シグナリング）を通じて行われるＵＥ１への通知について、図２０Ｂを参照しながら詳しく説明する。
【０１６５】
図２０Ｂの上段には、時刻Ｔ１においてＵＥ１に送られるＬ１シグナリングを示してある。具体的には、上述した図１１に示したテーブルを再設計することによって、ＵＥ１には、値「０」によって、ポート７およびｉｄ  ０を使用するように通知される。さらに、干渉するＵＥに使用されるグループＩＤが、１つの新しい追加のビットを使用してＵＥ１に通知され、例えば、「１」がｉｄ  １を示す。この理由として、時刻Ｔ１においてはＵＥ１とＵＥ２とがＭＵ動作状態であり、すなわちＵＥ２は、ＵＥ１と干渉するＵＥとみなされる。この場合、干渉ランダムシード空間は、ＵＥ１に設定された構造化されたグループＩＤテーブルの中の「サービングセル」の範囲だけであり、したがって、ＵＥ１のブラインド検出空間は「サービングセル」の中として定義される。
【０１６６】
図２０Ｂの中段には、時刻Ｔ２においてＵＥ１に送られるＬ１シグナリングを示してある。具体的には、再設計により、図１１に示したテーブルにおいては予約されている値「７」によって、干渉ランダムシード空間の切替えがＵＥ１に通知され、すなわち、干渉ランダムシード空間が「サービングセル」から「干渉セル」に変更される。次に、Ｔ１とは異なり、Ｔ２においては、ＵＥ１のＤＭＲＳランダムシードに使用されるグループＩＤが、新しい追加のビットを使用してＵＥ１に通知され、例えば「０」がｉｄ  ０を示す。上述した規則によると、このような場合、ＵＥ１はポート７またはポート８に固定されており、したがって、どのＤＭＲＳポートが使用されるかをＵＥ１に通知するための追加のビットが要求されない。さらに、Ｔ２においてＵＥ１は移動しているため、干渉するＵＥをＵＥ１に通知することは要求されず、したがって他の新規のビットは必要ない。このような場合、上述した規則によると、ブラインド検出空間は変化しないままであり、すなわち、ＵＥ１のための構造化されたグループＩＤテーブルにおける「サービングセル」の中である。
【０１６７】
図２０Ｂの下段には、時刻Ｔ３においてＵＥ１に送られるＬ１シグナリングを示してある。この時刻では、ＵＥ１は送信ポイント１の端部に到着している。したがって、この時刻におけるＬ１シグナリングは、Ｔ１におけるＬ１シグナリングに類似している。具体的には、上述したように図１１に示したテーブルを再設計することにより、ＵＥ１には、値「０」によって、ポート７およびｉｄ  ０を使用するように依然として通知される。さらには、干渉するＵＥに使用されるグループＩＤをＵＥ１に通知するため、Ｌ１シグナリングにおける１つの新しい追加のビットも使用される。この時点では、干渉するＵＥは、送信ポイント１の中のＵＥ１ではなく送信ポイント２の中のＵＥ３であり、干渉ランダムシード空間の切替えがＴ２においてすでにＵＥ１に通知されているため、干渉ランダムシード空間は、ＵＥ１のための構造化されたグループＩＤテーブルにおける「干渉セル」であり、この時点で干渉するＵＥに使用されるグループＩＤは、「干渉セル」から選択され、例えばこの場合には「１」がｉｄ  ３を示す。この場合、ＵＥ１のブラインド検出空間は、ＵＥ１のＤＭＲＳランダムシードおよび干渉するランダムシード（干渉するＵＥのランダムシード）の範囲内（すなわちｉｄ  ０およびｉｄ  ３）として定義される。
【０１６８】
現在のＬ１シグナリングにおける冗長性を十分に利用して、ＭＵの場合またはＵＥ側のセル間干渉の場合にブラインド検出空間をＵＥに示すことによって、ＵＥのブラインド検出空間が制限され、シグナリングのオーバーヘッドが減少する。
【０１６９】
（第１１の実施形態）
第１０の実施形態の１つの問題は、ＰＤＣＣＨの検出に失敗することによって物理レイヤシグナリングが失われうることである。図２１は、この実施形態による、ＰＤＣＣＨの受信失敗に起因して物理レイヤシグナリングが失われる場合を示した概略図である。図２１に示したように、基地局装置がＵＥに予約値（パートＩＩＩ）を送って、上述したようにセット１とセット２の間の切替えをＵＥに通知したが、ＵＥがこの通知を受信しない場合、基地局装置とＵＥとの間に非同期性が発生する。すなわち、基地局装置は、干渉ランダムシード空間（干渉グループＩＤ空間）を例えばセット１からセット２に切り替えたが、ＵＥは、干渉ランダムシード空間を変更しないままである。解決策として、このようなＰＤＣＣＨの検出失敗を克服する目的で、Ａｃｋ／Ｎｃｋ（肯定応答／否定応答）プロセスを組み合わせる。
【０１７０】
以下では、一例として、ＤＬ（下りリンク）Ａｃｋ／Ｎｃｋプロセスについて簡潔に紹介する。ＬＴＥまたはＬＴＥ−Ａには、物理レイヤメッセージの消失を防止する目的で、ＵＥと基地局装置との間のＡｃｋ／Ｎｃｋメカニズムが用意されている。具体的には、下りリンクの場合、サブフレームｎ（ＳＦ  ｎ）においてＵＥがメッセージを受信し、それが正しく復号された場合、ＵＥはサブフレームｎ＋４（ＳＦ  ｎ＋４）において基地局装置にＡｃｋ信号を送る。ＵＥがメッセージを受信したが正常に復号されなかった場合、ＵＥはＳＦ  ｎ＋４において基地局装置にＮｃｋ信号を送る。基地局装置は、ＳＦ  ｎ＋４におけるＵＥからのＡｃｋ信号またはＮｃｋ信号に基づいて、ＳＦ  ｎにおいて送ったメッセージがＵＥによって正常に受信および復号されたかを認識する。基地局装置は、ＳＦ  ｎ＋４において何も受信しない場合、ＳＦ  ｎにおいて送ったメッセージが送信中に失われたものと想定する。
【０１７１】
このようなＡｃｋ／Ｎｃｋプロセスと組み合わせることによって、基地局装置とＵＥとの間の非同期性を回避することができる。図２２は、この実施形態による、Ａｃｋ／Ｎｃｋメカニズムと組み合わせることによって、基地局装置とＵＥとの間の非同期性が回避される場合を示した概略図である。図２２に示したように、ＵＥがＳＦ  ｎにおいて予約値「７」または切替え命令を受信した場合、ＵＥおよび基地局装置は、干渉ランダムシード空間をただちには変更しない、または切り替えない。代わりに、ＵＥおよび基地局装置は、切り替えられていない干渉ランダムシード空間をＳＦ  ｎ＋４まで使用し、ＵＥがＳＦ  ｎ＋４においてＡｃｋ／Ｎｃｋ信号を基地局装置に送る。基地局装置が、ＵＥから送られたＡｃｋ／Ｎｃｋ信号を受信した場合、ＳＦ  ｎ＋５において、基地局装置およびＵＥの両方は、干渉ランダムシード空間を同期して切り替え、基地局装置がＵＥから何も受信しない場合、基地局装置およびＵＥのいずれも、干渉ランダムシード空間を切り替えない。この手順は、基地局装置がＳＦ  ｎにおいて切替え命令をＵＥに送ったが、実際には（おそらくは厳しいチャネル条件に起因して）ＵＥが何も受信しないという例外的な場合を目的とする。
【０１７２】
干渉ランダムシード空間（またはブラインド検出空間）の切替えに関して、Ａｃｋ／Ｎｃｋメカニズムと組み合わせることによって、基地局装置とＵＥとの間の非同期性を回避することができる。
【０１７３】
第７〜第１０の実施形態においては、ＵＥに使用されるグループＩＤと、ＵＥと干渉する別のＵＥに使用されるグループＩＤとをＵＥに通知するのに物理レイヤシグナリングが使用されるが、本発明はこれに限定されない。前に上位レイヤシグナリングからＵＥに設定された（送られた）グループＩＤテーブルまたは構造化されたグループＩＤテーブルに基づいて、（ＵＥの）ＤＭＲＳランダムシードおよび（干渉するＵＥの）干渉ＤＭＲＳランダムシードのインデックス（グループＩＤ）をＵＥに通知するのに、ＲＲＣシグナリングなどＵＥに固有な上位レイヤシグナリングを使用することも可能であることに留意されたい。この場合、ＲＲＣ自体にシグナリング保護メカニズムが備わっているため、送信時にシグナリングが失われる心配はない。
【０１７４】
この実施形態によると、送信ポイント装置（例えば７００）の通知部（図示していない）は、上位レイヤシグナリングを通じてＵＥに設定された（送られた）グループＩＤテーブルの中のどのグループＩＤが使用されるかを、物理レイヤシグナリングまたはＵＥに固有な上位レイヤシグナリングを通じてＵＥに通知することができる。この場合、グループＩＤテーブルは、グループＩＤ空間全体のサブセットであり、ＵＥに利用可能なグループＩＤを含む。
【０１７５】
この実施形態によると、ＵＥ（例えば８００）は、その送受信部（例えば８０１）によって、送信ポイント装置からの物理レイヤシグナリングまたはＵＥに固有な上位レイヤシグナリングをさらに受信することができる。物理レイヤシグナリングまたはＵＥに固有な上位レイヤシグナリングは、上位レイヤシグナリングを通じてＵＥに設定された（送られた）グループＩＤテーブルの中のどのグループＩＤが使用されるかをＵＥに通知する。この場合、グループＩＤテーブルは、グループＩＤ空間全体のサブセットであり、ＵＥに利用可能なグループＩＤを含む。
【０１７６】
（第１２の実施形態）
本開示においては、ＤＭＲＳおよびブラインド検出において、３種類のＩＤ、すなわち上述したようにセルＩＤ、ＵＥに固有なＩＤ、およびグループＩＤのいずれも使用することができる。上記の第７〜第１１の実施形態では、いずれも、ＵＥにグループＩＤテーブルを設定することに焦点を当てているが、本開示はこれに限定されない。代わりに、（図１６に示した）第７の実施形態または（図１７に示した）第９の実施形態において説明したグループＩＤテーブルを、より一般的な場合に拡張して、「ｘ」ＩＤテーブルとすることができる。このような「ｘ」ＩＤは、１種類または２種類以上のＩＤとすることができる。第７〜第１１の実施形態は、「ｘ」ＩＤが特にグループＩＤである場合の例である。
【０１７７】
図２３は、この実施形態による、上位レイヤシグナリングを通じてＵＥに設定される構造化された「ｘ」ＩＤテーブルの例を示している。図２３の例においては、「ｘ」ＩＤは２種類のＩＤ、すなわちセルＩＤおよびＵＥに固有なＩＤである。具体的には、図２３の「ｘ」ＩＤテーブルの構造は、図１７のグループＩＤテーブルの構造に似ている。これらのテーブルの違いとして、図２３では、セット１には、ＵＥに利用可能なＩＤとして、サービングセルのＩＤ  １とＵＥに固有なＩＤ  １とが含まれており、セット２には、ＵＥと干渉するＵＥに利用可能なＩＤとして、サービングセルのＩＤ  ２とＵＥに固有なＩＤ  ２とが含まれている。すなわち、この場合にはＵＥおよび干渉するＵＥに対して、セルＩＤとＵＥに固有なＩＤの両方が利用可能である。
【０１７８】
ＭＵ動作に関する前述した第３の実施形態においては、ブラインド検出を可能にするため、セルＩＤのケースにＵＥが切り替えられる。しかしながら、図２３の構造化された「ｘ」ＩＤテーブルを使用すると、ＵＥに固有なＩＤもブラインド検出用にＵＥ側に利用可能である。なぜなら、ＵＥのブラインド検出空間は構造化された「ｘ」ＩＤテーブルの中であり、物理レイヤシグナリングの設計と組み合わせることによって、ＩＤの小さい範囲にさらに制限できるためである。
【０１７９】
この「ｘ」ＩＤテーブルは、第９の実施形態における構造化されたグループＩＤテーブルに類似して、セット１とセット２によって構造化されている。このため、この場合、第１０の実施形態および第１１の実施形態における対応する物理レイヤシグナリング設計を「ｘ」ＩＤテーブルでも利用することができるが、冗長な説明を回避するため、ここでは詳細な説明を省略する。
【０１８０】
なお、「ｘ」ＩＤは、本開示に説明されている３種類のＩＤに制限されない。当業者には、他の任意の種類のＩＤに容易に拡張することができるであろう。
【０１８１】
（第１３の実施形態）
図２４は、この実施形態による、信号をスクランブルする方法の流れ図を示した図である。
【０１８２】
図２４に示したように、本開示の第１３の実施形態による方法２４００は、同じ時間・周波数リソースを有する少なくとも１層のリソースブロックの所定の無線リソースに割り当てられる信号をスクランブルする目的で使用される。ステップＳ２４０１において、ＩＤテーブルを上位レイヤシグナリングを通じてＵＥに送る。このＩＤテーブルは、ＩＤ空間全体のサブセットであり、ＵＥに利用可能なＩＤを含む。ステップＳ２４０２において、ＩＤテーブルの中の使用されるＩＤを、物理レイヤシグナリングまたはＵＥに固有な上位レイヤシグナリングを通じてＵＥに通知する。ステップＳ２４０３において、通知されたＩＤに基づいてランダムシードを生成する。ステップＳ２４０４において、ランダムシードによってスクランブリングシーケンスを初期化する。ステップＳ２４０４において、初期化されたスクランブリングシーケンスによって信号をスクランブルする。
【０１８３】
この実施形態によると、上記のステップＳ２４０３は、ランダムシード生成部７０１によって実行することができ、上記のステップＳ２４０４は、初期化部７０２によって実行することができ、上記のステップＳ２４０５は、スクランブル部７０３によって実行することができる。さらに、上記のステップＳ２４０２は、送信ポイント装置７００の通知部（図示していない）によって実行することができる。
【０１８４】
この実施形態によると、物理レイヤシグナリングは、ＩＤテーブルの中のどのＩＤがＵＥに使用されるかをＵＥに通知する第１のパートと、ＩＤテーブルの中のどのＩＤが、ＵＥと干渉する別のＵＥに使用されるかをＵＥに通知する第２のパートと、を備えていることができる。
【０１８５】
この実施形態によると、ＩＤテーブルは、第１のセットおよび第２のセットを含むように構造化することができ、ＵＥに使用するＩＤが第１のセットから選択され、ＵＥと干渉する別のＵＥに使用するＩＤが、第１のセットまたは第２のセットのいずれかから選択される。
【０１８６】
この実施形態によると、第１のパートは、１つの符号語によって設定されるシグナリングを使用することによって、ＵＥに通知することができ、１つの符号語における４個の値は、それぞれ、１レイヤの信号の次の４つの設定の場合、すなわち、第１のポートおよび第１のＩＤ、第１のポートおよび第２のＩＤ、第２のポートおよび第１のＩＤ、および、第２のポートおよび第２のＩＤ、を示す。第２のパートは、新規のビットによってＵＥに通知することができる。
【０１８７】
この実施形態によると、物理レイヤシグナリングは、ＩＤテーブルの第１のセットの中のどのＩＤがＵＥに使用されるかをＵＥに通知する第１のパートと、別のＵＥに使用されるＩＤが選択される対象の干渉ＩＤ空間として第１のセットと第２のセットとの間の切替えをＵＥに通知する第３のパートと、を備えていることができる。
【０１８８】
この実施形態によると、第１のパートは、新規のビットによってＵＥに通知することができ、第３のパートは、１つの符号語によって設定されるシグナリングを使用することによってＵＥに通知することができ、予約値が第１のセットと第２のセットとの間の切替えを示す。この場合、第１のポートまたは第２のポートを使用するようにＵＥを固定することができ、ＵＥのブラインド検出を変更しないことができる。
【０１８９】
この実施形態によると、ＵＥは、サブフレームｎにおいて送信ポイント装置から送られた第３のパートを受信すると、サブフレームｎ＋４において肯定応答信号または否定応答信号を送信ポイント装置に送ることができる。送信ポイント装置がＵＥから送られた肯定応答信号または否定応答信号を受信した場合、サブフレームｎ＋５において、送信ポイント装置およびＵＥの両方が切替えを実行し、そうではなく送信ポイント装置がＵＥからの肯定応答信号または否定応答信号のいずれも受信しない場合、送信ポイント装置およびＵＥのいずれも切替えを実行しない。
【０１９０】
この実施形態によると、ＩＤテーブルの中のＩＤは、グループＩＤ、セルＩＤ、およびＵＥに固有なＩＤのうちの１種類または複数種類である。
【０１９１】
この実施形態によると、グループＩＤに基づくランダムシードは、等式（５）から生成することができる。
【０１９２】
この実施形態によると、信号は、参照信号、制御チャネルの制御信号、およびデータチャネルのデータ信号のうちの１種類とすることができる。
【０１９３】
この実施形態によると、物理レイヤシグナリングと上位レイヤシグナリングとを組み合わせて、使用されるグループＩＤとブラインド検出空間とをＵＥに通知することによって、ＵＥのブラインド検出が可能となり、シグナリングのオーバーヘッドが減少する。
【０１９４】
上記の詳細な説明では、装置やプロセスのさまざまな実施形態が、ブロック図、流れ図、例を使用することによって記載されている。このようなブロック図、流れ図、例に１つまたは複数の機能や動作が含まれている場合、そのようなブロック図、流れ図、例の中の各機能や各動作は、各種のハードウェア、ソフトウェア、ファームウェア、またはこれらの実質的に任意の組合せによって、個々に、またはまとめて実施できることが、当業者には理解されるであろう。１つの実施形態において、本明細書に記載されている主題のいくつかの部分を、特定用途向け集積回路（ＡＳＩＣ）、フィールドプログラマブルゲートアレイ（ＦＰＧＡ）、デジタル信号プロセッサ（ＤＳＰ）、またはその他の集積形式によって実施することができる。しかしながら、当業者に認識される点として、本明細書に開示されている実施形態のいくつかの態様の全体または一部を、１つまたは複数のコンピュータ上で実行される１つまたは複数のコンピュータプログラムとして（例：１つまたは複数のコンピュータシステム上で実行される１つまたは複数のプログラムとして）、あるいは、１つまたは複数のプロセッサ上で実行される１つまたは複数のプログラムとして（例：１つまたは複数のマイクロプロセッサ上で実行される１つまたは複数のプログラムとして）、あるいはファームウェアとして、あるいはこれらの実質的に任意の組合せとして、集積回路において同等に実施することができ、さらには、回路を設計することと、ソフトウェアもしくはファームウェアまたはその両方のコードを書くことは、本開示の観点においては当業者の技能の範囲内である。さらに、当業者に理解される点として、本明細書に記載されている主題のメカニズムは、さまざまな形式におけるプログラム製品として配布することができ、本明細書に記載されている主題の実例としての実施形態は、実際に配布を行うために使用される信号担持媒体（signal bearing medium）のタイプには無関係に適用される。信号担持媒体の例としては、以下に限定されないが、記録可能なタイプの媒体（例えば、フロッピー（登録商標）ディスク、ハードディスクドライブ、コンパクトディスク（ＣＤ）、デジタルビデオディスク（ＤＶＤ）、デジタルテープ、コンピュータメモリなど）と、デジタルまたはアナログ通信媒体などの伝送型媒体（例：光ファイバケーブル、導波管、有線通信リンク、無線通信リンクなど）とが挙げられる。
【０１９５】
本明細書において、用語の単数形または複数形が使用されている場合、当業者には、文脈または用途に応じて複数形を単数形として、または単数形を複数形として適切に解釈できるであろう。本明細書においては、説明を明確にする目的で、単数形と複数形とが明示的に使い分けられている。
【０１９６】
本明細書には、さまざまな態様および実施形態が開示されているが、当業者には別の態様および実施形態が明らかであろう。本明細書に開示されているさまざまな態様および実施形態は、説明を目的とするものであり、本開示を制限することを意図しておらず、本開示の実際の範囲および概念は請求項によって示してある。
【図１】
0006041278.tif 000025
【図２】
0006041278.tif 000026
【図３】
0006041278.tif 000027
【図４】
0006041278.tif 000028
【図５】
0006041278.tif 000029
【図６】
0006041278.tif 000030
【図７】
0006041278.tif 000031
【図８】
0006041278.tif 000032
【図９】
0006041278.tif 000033
【図１０】
0006041278.tif 000034
【図１１】
0006041278.tif 000035
【図１２】
0006041278.tif 000036
【図１３】
0006041278.tif 000037
【図１４】
0006041278.tif 000038
【図１５】
0006041278.tif 000039
【図１６】
0006041278.tif 000040
【図１７】
0006041278.tif 000041
【図１８】
0006041278.tif 000042
【図１９】
0006041278.tif 000043
【図２０Ａ】
0006041278.tif 000044
【図２０Ｂ】
0006041278.tif 000045
【図２１】
0006041278.tif 000046
【図２２】
0006041278.tif 000047
【図２３】
0006041278.tif 000048
【図２４】
0006041278.tif 000049